(57)【特許請求の範囲】
【請求項１】
コンテンツ源と通信している情報システムを利用するための個人ユーザ用操作デバイスであって、
前記個人ユーザ用操作デバイスは、
ボタン部を含むユーザコントローラインターフェース部を備えるディスプレイオーバーレイシステムと連結するハンドヘルドハウジングと、
前記ハンドヘルドハウジングに配置され、情報システムと通信し、コンテンツ源から利用できる鑑賞コンテンツのメニューシステムを表示するタッチスクリーンディスプレイシステムとを有し、
前記ユーザコントローラインターフェース部は、前記情報システムから利用可能なアプリケーションに基づいてユーザーインターフェースを生成し、アプリケーションの各機能に対して前記ボタン部と前記タッチスクリーンディスプレイシステムの所定の位置とを関連付けし、
ディスプレイオーバーレイシステムが前記タッチスクリーンディスプレイシステムに隣接して配置された場合に、
メニューシステムを操作するためにおよび出力する特定の鑑賞コンテンツを選択するために、ユーザコントローラインターフェース部がタッチスクリーンディスプレイシステムの所定の位置に接触するように、ディスプレイオーバーレイシステムが個人ユーザ用操作デバイスのユーザインターフェースシステムを形成し、
所定のボタン部または前記タッチスクリーンディスプレイシステムの所定の位置が駆動されることにより、関連するアプリケーションの機能が作動する個人ユーザ用操作デバイス。
【請求項２】
前記ハンドヘルドハウジングが、ユーザインターフェースをカスタマイズするために、交換可能な複数のディスプレイオーバーレイシステムのオーバーレイハウジングと択一的に協働する請求項１の個人ユーザ用操作デバイス。
【請求項３】
前記ハンドヘルドハウジングが複数のボタン部をそれぞれ含む複数のユーザコントローラインターフェース部を備える所定のディスプレイオーバーレイシステムと協働し、
複数のボタン部それぞれが前記タッチスクリーンディスプレイシステムの関連する位置に位置付けされ、関連する位置に対応するボタン部の駆動によって関連する機能が作動する請求項１の個人ユーザ用操作デバイス。
【請求項４】
前記ハンドヘルドハウジングが、前記ハンドヘルドハウジングの所定部を受け入れる開口をそれぞれ形成する複数の分かれたディスプレイオーバーレイサブシステムとして設けられたオーバーレイハウジングと協働する請求項１の個人ユーザ用操作デバイス。
【請求項５】
情報システムとともに移動プラットフォームに搭載されている請求項１の個人ユーザ用操作デバイス。
【請求項６】
前記移動プラットフォームが飛行機である請求項５の個人ユーザ用操作デバイス。
【請求項７】
前記ユーザコントローラインターフェース部が、客室乗務員呼び出しボタンとシート照明システム操作ボタンとを有する請求項６の個人ユーザ用操作デバイス。
【請求項８】
前記ユーザーコントローラインターフェース部が、情報システムから利用可能な複数のアプリケーションの中から選択するためのメニューシステムを表示し、メニューシステム内のナビゲートを可能にする請求項１の個人ユーザ用操作デバイス。
【請求項９】
前記タッチスクリーンディスプレイシステムが、ユーザコントローラインターフェース部に関連する識別マークを表示し、識別マークがディスプレイオーバーレイシステムを介して視認される請求項１の個人ユーザ用操作デバイス。
【請求項１０】
前記タッチスクリーンディスプレイシステムが、タッチスクリーンディスプレイシステムが起動すると識別マークを表示する請求項９の個人ユーザ用操作デバイス。
【請求項１１】
オーディオ出力システムをさらに有する請求項１の個人ユーザ用操作デバイス。
【請求項１２】
前記ハンドヘルドハウジングの対向し合う端部に電話用マイクと電話用スピーカとをさらに有し、電話として選択的に使用できるように構成されている請求項１に記載の個人ユーザ用操作デバイス。
【発明の詳細な説明】
【技術分野】
【０００１】
本発明は、広くには操作システム、特には、限定するわけではないが、旅客用の乗物に導入される乗物用情報システムとの通信に適したハンドヘルド操作システムに関する。
【背景技術】
【０００２】
自動車や航空機などの乗物は、多くの場合、移動中に、エンターテイメントなどの鑑賞コンテンツ、情報コンテンツ、または他の鑑賞コンテンツへのアクセスを要望する乗客を満足させるために、乗物用情報システムを装備している。
【０００３】
従来の乗客用情報（すなわちエンターテイメント）システムの例として、乗客がビデオコンテンツを選択できるように個々の操作ボタンを備える、頭上キャビンビデオシステムまたはシート搭載ビデオシステムがある。鑑賞コンテンツとして、様々なコンテンツ源から配給される音楽コンテンツやビデオコンテンツがある。映画や音楽などの予め記録された鑑賞コンテンツは、乗物に搭載されている、音楽プレーヤやビデオプレーヤなどの内在的なコンテンツ源によって提供される。従来の乗客用情報システムはさらに、乗物の外に存在するおよび／または乗物から離れて存在する１つまたはそれ以上のコンテンツプロバイダ（すなわちコンテンツ源）から送信された、ライブテレビプログラムおよび／またはインターネットコンテンツなどの鑑賞コンテンツを受信するアンテナシステムを備えている。
【０００４】
しかしながら、このような従来の乗客用情報システムは、多くの不都合がある。多くの乗客は、この乗客用情報システムの操作を複雑に感じ、鑑賞コンテンツを楽しみ難い。鑑賞コンテンツの選択は、例えば、ユーザ用操作ボタンが扱いにくい場所にあって操作がやりにくいために困難を極める。また、乗客用情報システムのビデオシステムの多くが、頭上および／または対面する座席の裏などの乗客用操作ボタンから離れた位置にある。加えて、１つまたはそれ以上のビデオシステムが故障すると、乗物に乗って移動する多くのまたは全ての乗客が、鑑賞コンテンツを楽しむことを阻害される。さらに、従来の乗客用情報システムは、乗客のハンドヘルド（携帯型）パーソナルメディアデバイスと通信するために、左側オーディオ、右側オーディオ、ビデオ、データ、電源などのための複数のケーブルや複数のインターフェースポイント（ｉｎｔｅｒｆａｃｅ  ｐｏｉｎｔ）が必要であり、また、これらのパーソナルメディアデバイスのリモート操作をサポートしていない。このようなシステムの欠点は、移動中の乗客の不満の原因となることが多い。
【発明の概要】
【０００５】
上述のことを考慮すると、従来の乗客用情報システムの上述した障害や欠陥を克服するためには、多目的に且つ直感的に使えるユーザ用操作ボタンを備える、改良された乗客用情報システムおよび方法が必要である。
【図面の簡単な説明】
【０００６】
【図１】図１は、情報システムと通信するための携帯型操作デバイスの一実施形態を示す一例の上位概念図である。
【０００７】
【図２Ａ】図２Ａは、図１の情報システムであって、自動車に導入される乗物用情報システムである情報システムを示す一例の上位概念図である。
【０００８】
【図２Ｂ】図２Ｂは、図２Ａの乗物用情報システムであって、航空機に導入される乗物用情報システムを示す一例の上位概念図である。
【０００９】
【図３】図２Ａ，２Ｂの乗物用情報システムの配給システムの好適な一実施形態を示す一例の詳細図である。
【００１０】
【図４Ａ】図２Ａ，２Ｂの乗物用情報システムが導入されている、乗物の客室を示す一例の上位概念図である。
【００１１】
【図４Ｂ】図４Ａの乗物用情報システムの実施形態であって、図１の携帯型操作デバイスと通信する乗物用情報システムを示す一例の上位概念図である。
【００１２】
【図５Ａ】図１の携帯型操作デバイスの実施形態であって、図２Ａ，２Ｂの乗物用情報システムと有線通信接続を介して通信する携帯型操作デバイスを示す一例の上位概念図である。
【００１３】
【図５Ｂ】図５Ａの携帯型操作デバイスの実施形態であって、乗物用情報システムとワイヤレス通信接続を介して通信する携帯型操作デバイスを示す一例の上位概念図である。
【００１４】
【図６Ａ】図１の携帯型操作デバイスであって、複数のユーザ選択可能アイコンを備え、且つハンドヘルドハウジング内に配置されるメニューシステムを出力する携帯型操作デバイスを示す一例の詳細図である。
【００１５】
【図６Ｂ】図６Ａの携帯型操作デバイスの実施形態であって、エルゴノミックカバーアセンブリ内に配置された携帯型操作デバイスを示す一例の詳細図である。
【００１６】
【図６Ｃ】ハンドヘルドハウジングがテーパー形状のハウジング部分を備えている、図６Ａの携帯型操作デバイスの代わりの実施形態を示す一例の詳細図である。
【００１７】
【図６Ｄ】ハンドヘルドハウジングにブランドマークがカスタマイズされている、図６Ａの携帯型操作デバイスのさらに代わりの実施形態を示す一例の詳細図である。
【００１８】
【図７Ａ】図６Ａのメニューシステムの代わりの実施形態を示す一例の詳細図である。
【００１９】
【図７Ｂ】メニューシステムが縦型のメニューシステムとして設けられている、図７Ａのメニューシステムの代わりの実施形態を示す一例の詳細図である。
【００２０】
【図７Ｃ】ユーザ用操作システムがツールバーとして設けられている、図６Ａのメニューシステムのさらに代わりの実施形態を示す一例の詳細図である。
【００２１】
【図７Ｄ】図７Ｃのメニューシステムの代わりの実施形態を示す一例の詳細図である。
【００２２】
【図７Ｅ】メニューシステムの識別マークが環状に配置されている、図６Ａのメニューシステムのさらに代わりの実施形態を示す一例の詳細図である。
【００２３】
【図７Ｆ】メニューシステムの識別マークがカスタマイズされた識別マークとして設けられている、図６Ａのメニューシステムのさらに代わりの実施形態を示す一例の詳細図である。
【００２４】
【図８Ａ】図６Ａ−６Ｄの携帯型操作デバイスの実施形態であって、タッチスクリーンディスプレイシステムを備え、ディスプレイオーバーレイシステムと係合する携帯型操作デバイスを示す一例の詳細図である。
【００２５】
【図８Ｂ】図８Ａのディスプレイオーバーレイシステムの実施形態であって、オーバーレイハウジング内の関連するユーザコントローラインターフェース部が配置されるくぼみ部を備えるディスプレイオーバーレイシステムを示す一例の詳細図である。
【００２６】
【図８Ｃ】図８Ａのディスプレイオーバーレイシステムの代わりの実施形態であって、携帯型操作デバイスにマグネット連結システムを介して取り外し可能に連結するディスプレイオーバーレイシステムを示す一例の詳細図である。
【００２７】
【図８Ｄ】図８Ａのディスプレイオーバーレイシステムのさらに代わりの実施形態であって、携帯型操作デバイスに機械式連結システムを介して連結しているディスプレイオーバーレイシステムを示す一例の詳細図である。
【００２８】
【図８Ｅ】図８Ａのディスプレイオーバーレイシステムのさらに代わりの実施形態であって、一対のディスプレイオーバーレイシステムとして設けられているディスプレイオーバーレイシステムを示す一例の詳細図である。
【００２９】
【図９Ａ】図２Ａ，２Ｂの乗物用情報システム用の統合型オーディオ／ビデオ出力システムの実施形態を示す一例の詳細図である。
【００３０】
【図９Ｂ】図９Ａの統合型オーディオ／ビデオ出力システムの実施形態であって、周辺機器である出力システムと統合型オーディオ／ビデオ出力システムとを接続するための取り外し式の通信コネクタシステムを備えている統合型オーディオ／ビデオ出力システムを示す図である。
【００３１】
【図９Ｃ】図９Ｂの取り外し式の通信コネクタシステムの実施形態を示す一例の詳細図である。
【００３２】
【図１０Ａ】図９Ｂ，９Ｃの取り外し式の通信コネクタシステムのシステム側接点構成の実施形態を示す一例の詳細図である。
【００３３】
【図１０Ｂ】隣接し合うシステム側接点の間隔が一様でない、図１０Ａの接点構成の代わりの実施形態を示す一例の詳細図である。
【００３４】
【図１０Ｃ】システム側接点が半円状に設けられている、図１０Ａの接点構成のさらに代わりの実施形態を示す一例の詳細図である。
【００３５】
【図１０Ｄ】隣接し合うシステム側接点の間隔が一様でない、図１０Ｃの接点構成の代わりの実施形態を示す一例の詳細図である。
【００３６】
【図１０Ｅ】システム側接点として配列された直線状のシステム側接点を備える、図１０Ａの接点構成のさらに代わりの実施形態を示す一例の詳細図である。
【００３７】
【図１０Ｆ】システム側接点として配列された円状の接点を備える、図１０Ａの接点構成のさらに代わりの実施形態を示す一例の詳細図である。
【００３８】
【図１０Ｇ】システム側接点として配列されたパイ形状の接点を備える、図１０Ａの接点構成のさらに代わりの実施形態を示す一例の詳細図である。
【００３９】
図面は縮尺どおりに示しておらず、ほとんどの場合、類似の構造または機能の構成要素には、全図にわたって説明するための類似の参照符号が付されていることに注意すべきである。また、図は、好適な実施形態の説明を手助けすることのみを目的としていることに注意すべきである。図は、記載する実施形態のあらゆる態様を示しているわけではなく、また開示の範囲を限定するものではない。
【発明を実施するための形態】
【００４０】
（好適な実施形態の詳細な説明）
以下の複数の非仮特許出願は、全てが本出願の出願人の所有であって、本出願とともに同一日に出願されている。これらの非仮特許出願の開示内容は、以下の出願の全体を参照することにより本明細書に組み込まれている。
【００４１】
「ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ（携帯型メディアデバイスと乗物用情報システムとの通信のためのシステムおよび方法）」、代理人事項（Ａｔｔｏｒｎｅｙ  Ｍａｔｔｅｒ）番号７００５４６．４０２９、２００８年９月１２日出願。
【００４２】
「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ（乗物用情報システムのためのメディアデバイスの通信システムおよび方法）」、代理人事項番号７００５４６．４０３７、２００８年９月１２日出願。
【００４３】
「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ（乗物用情報システムのためのメディアデバイスの通信システムおよび方法）」、代理人事項番号７００５４６．４０３８、２００８年９月１２日出願。
【００４４】
現在利用されている乗客用情報システムは操作が複雑で且つユーザ用操作ボタンが扱いにくい場所にあって操作がやりにくい。そのため、ユーザインターフェースを備える情報システムは、望みどおりにできる携帯型操作デバイスを備え、また、移動中の乗用車、航空機、または他の種類の乗物に使用される乗物用情報システムなど、広範囲のシステムアプリケーションの基礎を提供する。このことは、本明細書に開示されている一実施形態によれば、図１に示すような個人（または携帯型）ユーザ用操作デバイス２００によって実現される。
【００４５】
図１を参照すれば、情報システム１００を利用できるように構成されている個人ユーザ用操作デバイス２００が示されている。個人ユーザ用操作デバイス２００は、標準的なユーザ用操作機能を有利に統合した一人用の携帯型ユニットとして提供される。情報システム１００と通信する場合、個人ユーザ用操作デバイス２００は、自動的に、情報システム１００からのシステムステータス情報を検出する。システムステータス情報には、例えば、情報システム１００から利用できるシステムの機能、情報システム１００から利用できる鑑賞コンテンツ２１０（図２Ａ，２Ｂ参照）、および／または情報システム１００の現在のシステム操作モードが含まれている。個人ユーザ用操作デバイス２００はさらに、情報システム１００から検出されたシステムステータス情報に本能的に対応するユーザインターフェースシステム２９０（図４Ｂ参照）を提供する。言い換えれば、個人ユーザ用操作デバイス２００のユーザインターフェースシステム２９０は、好適には、完全にカスタマイズ可能である。それにより、個人ユーザ用操作デバイス２００は、多目的に使用でき、情報システム１００と直感的に通信することができる。
【００４６】
個人ユーザ用操作デバイス２００は、ユーザフレンドリーなインターフェースシステム２９０を用いることにより、ユーザ（または乗客）が簡単なやり方で情報システム１００と通信できるようにサポートしている。専用の操作ボタンを持つ不変のユーザ操作系を備える従来の操作デバイスとは異なり、ユーザインターフェースシステム２９０は、専用の操作ボタンを持たず（または有限数のボタンを持たず）、情報システム１００との通信に関してカスタマイズ可能な環境を個人ユーザ用操作デバイス２００に提供することができる。図１に示すように、個人ユーザ用操作デバイス２００は、情報システム１００の現在の操作モードを確認するための制御信号２２０を受信でき、情報システム１００の現在の操作モードに従ってユーザインターフェースシステム２９０の外観および／または操作を変更する。個人ユーザ用操作デバイス２００はまた、制御信号２２０を介して、所望のシステムの機能、鑑賞コンテンツ２１０、および／または情報システム１００のシステムの操作モードを選択することができる。言い換えれば、個人ユーザ用操作デバイス２００は、情報システム１００との間でユーザ操作信号（すなわち、ユーザの操作指示）２３０（図４Ａ，４Ｂ参照）などの制御信号（すなわち命令）２２０をやり取りすることができ、および／または情報システム１００から作動電力２２０Ｐ（図４Ｂ参照）を受け取ることができる。
【００４７】
情報システム１００と通信状態であるとき、個人ユーザ用操作デバイス２００は、情報システム１００のビデオ出力システム３６２（図４Ａ，４Ｂ参照）および／またはオーディオ出力システム３６４（図４Ａ，４Ｂ参照）に接続された状態で使用される。個人ユーザ用操作デバイス２００のユーザインターフェースシステム２９０には、ビデオディスプレイシステム２４０（図４Ｂ参照）および／またはオーディオシステム２５０（図４Ｂ参照）が統合されて含まれている。それにより、システムの機能、鑑賞コンテンツ２１０、および／または情報システム１００のシステム操作モードを、個人ユーザ用操作デバイス２００を介して選択することができる。個人ユーザ用操作デバイス２００は、好適には、シームレスに情報システム１００の一部分となる。
【００４８】
所望される場合、個人ユーザ用操作デバイス２００は、パーソナルメディアデバイス、ラップトップコンピュータ、パームトップコンピュータ、ＰＤＡ（パーソナルデジタルアシスタント）、セルラーテレフォン、および／またはＭＰ３（ＭＰＥＧ  Ａｕｄｉｏ  Ｌａｙｅｒ  ３）デバイスなどのハンドヘルドデバイスとして提供される。実例のパーソナルメディアデバイスが、同時係属米国特許出願である、２００４年２月４日出願の「ＳＹＳＴＥＭ  ＡＮＤ  ＭＥＴＨＯＤ  ＦＯＲ  ＤＯＷＮＬＯＡＤＩＮＧ  ＦＩＬＥＳ」（出願番号１０／７７２５６５）と、２００５年６月１５日出願の「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ」（出願番号１１／１５４７４９）と、２００５年１１月７日出願の「ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ」（出願番号１１／２６９３７８）に示されているとともに説明されている。これらの出願は、本出願の承継人が選定されており、それぞれの開示内容が、その全体を参照することにより本明細書内に組み込まれている。
【００４９】
鑑賞コンテンツ２１０は、上述の同時係属出願である、２００４年２月４日出願の「ＳＹＳＴＥＭ  ＡＮＤ  ＭＥＴＨＯＤ  ＦＯＲ  ＤＯＷＮＬＯＡＤＩＮＧ  ＦＩＬＥＳ」（出願番号１０／７７２５６５）と、２００５年６月１５日出願の「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ」（出願番号１１／１５４７４９）と、２００５年１１月７日出願の「ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ」（出願番号１１／２６９３７８）とにおいて記載するような、蓄積された（すなわち時間遅延された）鑑賞コンテンツおよび／またはライブ（すなわちリアルタイム）鑑賞コンテンツなどの、従来からある任意のタイプのオーディオおよび／またはビデオの鑑賞コンテンツなどである。鑑賞コンテンツ２１０の例としては、制限はなく、テキストメッセージ、電子メール（すなわちｅ−ｍａｉｌ）、テレビプログラムコンテンツ、音楽コンテンツ、ポッドキャストコンテンツ、フォトアルバムコンテンツ、オーディオブックコンテンツ、ムービーコンテンツ、および／またはゲームコンテンツが含まれる。
【００５０】
所望される場合、鑑賞コンテンツ２１０には、本出願の承継人が選定されており、開示内容が、その全体を参照することにより本明細書内に組み込まれている出願「ＭＥＴＨＯＤ  ＦＯＲ  ＤＩＳＰＬＡＹＩＮＧ  ＩＮＴＥＲＡＣＴＩＶＥ  ＦＬＩＧＨＴ  ＭＡＰ  ＩＮＦＯＲＭＡＴＩＯＮ」（米国特許第６６６１３５３号）において記載されている地理情報が含まれる。代わりとして、および／または付加的に、ライブ衛星テレビプログラムおよび／またはライブ衛星ラジオプログラムなどのエンターテイメントコンテンツが含まれ、さらに、鑑賞コンテンツには、インターネット３１０Ｃ（図２Ｂ参照）へのリアルタイムアクセスおよび／または米国特許第５５６８４８４号の「ＴＥＬＥＣＯＭＭＵＮＩＣＡＴＩＯＮＳ  ＳＹＳＴＥＭ  ＡＮＤ  ＭＥＴＨＯＤ  ＦＯＲ  ＵＳＥ  ＯＮ  ＣＯＭＭＥＲＣＩＡＬ  ＡＩＲＣＲＡＦＴ  ＡＮＤ  ＯＴＨＥＲ  ＶＥＨＩＣＬＥＳ」において記載するような遠隔通信などの双方向通信が含まれる。この米国特許第５５６８４８４号は、本出願の承継人が選定されており、開示内容が、その全体を参照することにより本明細書内に組み込まれている。本明細書に図示するおよび記載する鑑賞コンテンツの例は、余すことなく網羅されたものではなく、説明目的のためのみに本明細書内で用いられ、限定を目的とするものではない。
【００５１】
情報システム１００はビルなどの固定の位置に配置することも可能であり、また、情報システム１００は携帯型システム用途に有利に応用することもできる。図２Ａ，２Ｂを参照すれば、幅広い種類の乗物３９０内に導入可能に構成されている乗物用情報システム３００を含む情報システム１００が示されている。乗物の種類の例としては、制限はなく、自動車３９０Ａ（図２Ａ参照）、航空機３９０Ｂ（図２Ｂ参照）、バス、レクレーション用乗物、ボート、および／または移動力のある、すなわち他の種類の乗客を載せる乗物が含まれる。図２Ｂに示すように航空機３９０Ｂに導入される場合、例えば、乗物用情報システム３００は、カリフォルニア州レークフォレストのパナソニックアビオニクスコーポレーション（かつては松下アビオニクスシステムコーポレーション）製のシリーズ２０００、３０００、ｅＦＸ、および／またはｅＸ２の機内エンターテイメントシステムなどの、従来からある航空機の乗客用の機内エンターテイメントシステムを有する。
【００５２】
図２Ａ，２Ｂに示すように、乗物用情報システム３００は、少なくとも１つのコンテンツ源３１０と、リアルタイムコンテンツ配給システム３２０を介して通信する１つまたはそれ以上のユーザ（すなわち乗客）インターフェースシステム３６０とを有する。各コンテンツ源３１０は、同時係属出願である、２００４年２月４日出願の「ＳＹＳＴＥＭ  ＡＮＤ  ＭＥＴＨＯＤ  ＦＯＲ  ＤＯＷＮＬＯＡＤＩＮＧ  ＦＩＬＥＳ」（出願番号１０／７７２５６５）と、２００５年５月６日出願の「ＳＹＳＴＥＭ  ＡＮＤ  ＭＥＴＨＯＤ  ＦＯＲ  ＭＡＮＡＧＩＮＧ  ＣＯＮＴＥＮＴ  ＯＮ  ＭＯＢＩＬＥ  ＰＬＡＴＦＯＲＭＳ」（出願番号１１／１２３３２７）と、２００５年６月１５日出願の「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ」（出願番号１１／１５４７４９）と、２００５年１１月７日出願の「ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ」（出願番号１１／２６９３７８）とにおいて記載するように提供される。これらの出願は、本出願の承継人が選定されており、それぞれの開示内容が、その全体を参照することにより本明細書内に組み込まれている。
【００５３】
コンテンツ源３１０には、乗物３９０内に導入されているサーバシステム３１０Ａなどの１つまたはそれ以上の内在的なコンテンツ源と、および／または、乗物３９０の外部に存在する遠隔（または地上）のコンテンツ源３１０Ｂとが含まれる。サーバシステム３１０Ａは、所望される場合、乗物用情報システム３００のための機能を制御する総合システムを提供する情報システムコントローラとして、および／または、図２Ａ，２Ｂに示すような、プログラムされたコンテンツおよび／またはダウンロードされた鑑賞コンテンツ２１０Ｄを記憶する少なくとも１つのメディア（すなわちファイル）サーバシステムとして提供される。サーバシステム３１０Ａは、一つまたはそれ以上の従来からある周辺機器であるメディアストレージシステム（図示せず）を備える、および／またはこのメディアストレージシステムと通信する。このメディアストレージシステムには、プログラムされたコンテンツおよび／またはダウンロードされた鑑賞コンテンツ２１０Ｄを記憶する、ＤＶＤ（デジタルビデオディスク）システムまたはＣＤ（コンパクトディスク）システムなどの光学メディアデバイス、および／またはＶＣＲ（ビデオカセットレコーダ）システムやＨＤＤ（ハードディスクドライブ）システムなどの磁気メディアシステムが含まれる。
【００５４】
１つまたはそれ以上の選択されたコンテンツ源３１０によって提供される観賞コンテンツ２１０を配給するおよび／または提供する構成にするために、乗物用情報システム３００は、有線通信および／またはワイヤレス通信を介することを含む、従来からある任意の方式でリアルタイムにコンテンツ源３１０と通信することができる。乗物用情報システム３００と地上のコンテンツ源３１０とは、例えば、直接的、および／または衛星通信システム３７０Ａなどの中継通信システム３７０を介する間接的なものも含む、従来からある任意のワイヤレス通信を行うことができる。それにより、乗物用情報システム３００は、選択された地上のコンテンツ源３１０Ｂから鑑賞コンテンツ２１０Ｄをダウンロード（受信）することができ、および／または地上のコンテンツ源３１０Ｂに、ナビゲーションや他の制御指示を含む鑑賞コンテンツ２１０Ｕをアップロード（送信）することができる。所望される場合、地上のコンテンツ源３１０Ｂは、他の地上のコンテンツ源（図示せず）通信できるように構成される。インターネット３１０Ｃにアクセスするための地上のコンテンツ源３１０Ｂが、図２Ｂに示されている。説明のために衛星通信システム３７０Ａを有するものを図示するとともに記載したが、通信システム３７０が、セルラー通信システム（図示せず）および／またはＡＧＩＳ（Ａｉｒｃｒａｆｔ  Ｇｒｏｕｎｄ  Ｉｎｆｏｒｍａｔｉｏｎ  Ｓｙｓｔｅｍ）通信システム（図示せず）などの、従来からある任意のタイプのワイヤレス通信システムを有することが可能であることは分かっている。
【００５５】
地上のコンテンツ源３１０Ｂとの通信を容易にするために、乗物用情報システム３００は、図２Ａ，２Ｂに示すように遠隔（または地上）のコンテンツ源３１０Ｂからの鑑賞コンテンツを受信するための、アンテナシステム３３０とトランシーバシステム３４０とを備える。アンテナシステム３３０は、好適には、航空機３９０Ｂの機体３９２の外側表面３９４など、乗物３９０の外側に配置される。アンテナシステム３３０は地上のコンテンツ源３１０Ｂから鑑賞コンテンツ２１０を受信し、受信された鑑賞コンテンツ２１０は、トランシーバシステム３４０によって処理され、乗物用情報システム３００のコンピュータシステム３５０に送られる。コンピュータシステム３５０は、所望される場合、受信した鑑賞コンテンツ２１０をメディアサーバシステム３１０Ａ、および／または１つまたはそれ以上のユーザインターフェース３６０に供給する。説明するためにシステムは分離した状態で図示されるとともに説明されているが、コンピュータシステム３５０とメディアサーバシステム３１０Ａは、少なくとも部分的に統合可能である。
【００５６】
コンテンツ源３１０やユーザインターフェースシステム３６０を含む乗物情報システムの構成要素が、コンテンツ配給システム３２０を介して通信するものとして、図２Ａ，２Ｂに示されている。図３は、乗物情報システム３００のコンテンツ配給システム３２０の例を示している。図３のコンテンツ配給システム３２０は、コンテンツ源を含むヘッドエンドシステム３１０Ｈと接続し、ヘッドエンドシステム３１０Ｈと複数のインターフェースシステム３６０との間の通信をサポートしている。図３に示す配給システム３２０は、同時係属米国特許出願であって２００６年３月２９日出願の「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬＳ  ＶＩＡ  Ａ  ＤＡＴＡ  ＤＩＳＴＲＩＢＵＴＩＯＮ  ＮＥＴＷＯＲＫ」（出願番号１１／２７７８９６）と、米国特許第５５９６６４７号、第５６１７３３１号、および第５９５３４２９号の「ＩＮＴＥＧＲＡＴＥＤ  ＶＩＤＥＯ  ＡＮＤ  ＡＵＤＩＯ  ＳＩＧＮＡＬ  ＤＩＳＴＲＩＢＵＴＩＯＮ  ＳＹＳＴＥＭ  ＡＮＤ  ＭＥＴＨＯＤ  ＦＯＲ  ＵＳＥ  ＯＮ  ＣＯＭＭＥＲＣＩＡＬ  ＡＩＲＣＲＡＦＴ  ＡＮＤ  ＯＴＨＥＲ  ＶＥＨＩＣＬＥＳ」（同一タイトル）とにおいて記載するように提供される。これらは、本出願の承継人が選定されており、それぞれの開示内容が、その全体を参照することにより本明細書内に組み込まれている。
【００５７】
所望される場合、配給システム３２０はまた、ネットワーク管理システム（図示せず）を備える。このネットワーク管理システムは、同時係属米国特許出願である、２００４年２月６日出願の「ＳＹＳＴＥＭ  ＡＮＤ  ＭＥＴＨＯＤ  ＦＯＲ  ＩＭＰＲＯＶＩＮＧ  ＮＥＴＷＯＲＫ  ＲＥＬＩＡＢＩＬＩＴＹ」（出願番号１０／７７３５２３）と、２００５年３月２１日出願の「ＳＹＳＴＥＭ  ＡＮＤ  ＭＥＴＨＯＤ  ＦＯＲ  ＩＭＰＲＯＶＩＮＧ  ＮＥＴＷＯＲＫ  ＲＥＬＩＡＢＩＬＩＴＹ」（出願番号１１／０８６５１０）とにおいて記載するように提供される。これらは、本出願の承継人が選定されており、それぞれの開示内容が、その全体を参照することにより本明細書内に組み込まれている。
【００５８】
図３に示すように、配給システム３２０は、複数のエリア配給ボックス（ＡＤＢ：ａｒｅａ  ｄｉｓｔｒｉｂｕｔｉｏｎ  ｂｏｘ）３２２と、複数のフロア切断ボックス（ＦＤＢ：ｆｌｏｏｒ  ｄｉｓｃｏｎｎｅｃｔ  ｂｏｘ）３２３と、有線および／またはワイヤレス通信接続３２５を介してリアルタイムに通信するように構成されている複数のシート電子ボックス（ＳＥＢｓ：ｓｅａｔ  ｅｌｅｃｔｒｏｎｉｃｓ  ｂｏｘ）（および／またはプレミアムシート電子ボックス（ＰＳＥＢ））３２４とを備えている。配給システム３２０はまた、配給システム３２０とヘッドエンドシステム３１０Ｈとを接続するスイッチングシステム３２１を備えている。スイッチングシステム３２１は、イーサネット（Ｅｔｈｅｒｎｅｔ）スイッチングシステムなど、従来からあるスイッチングシステムなどであり、ヘッドエンドシステム３１０Ｈとエリア配給ボックス３２２とを接続するように構成されている。各エリア配給ボックス３２２は、スイッチングシステム３２１と接続して通信する。
【００５９】
各エリア配給ボックス３２２は、順番に、少なくとも１つのフロア切断ボックス３２３と接続して通信する。エリア配給ボックス３２２と関連するフロア切断ボックス３２３とは従来からある任意の構成で接続されているが、関連するフロア切断ボックス３２３は、好適には、図３に示すように、中央のエリア配給ボックス３２２を中心とするスター型ネットワークトポロジー状に配置されている。各フロア切断ボックス３２３は、デイジーチェーン（ｄａｉｓｙ−ｃｈａｉｎ）状に連結された複数のシート電子ボックス３２４に接続され、これらに情報を提供する。シート電子ボックス３２４は、順番に、ユーザインターフェースシステム３６０と通信するように構成されている。各シート電子ボックス３２４は、１つまたはそれ以上のユーザインターフェースシステム３６０をサポートしている。
【００６０】
所望される場合、フロア切断ボックス３２３は、ルーティングシステムとして、および／または、上述の同時係属米国特許出願である、２００６年３月２９日出願の「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬＳ  ＶＩＡ  Ａ  ＤＡＴＡ  ＤＩＳＴＲＩＢＵＴＩＯＮ  ＮＥＴＷＯＲＫ」（出願番号１１／２７７８９６）に記載するように、相互に接続するように有利に設けられる。配給システム３２０には、少なくとも１つのＦＤＢ内部ポートバイパス接続３２５Ａと、および／または少なくとも１つのＳＥＢループバック接続３２５Ｂとが含まれている。各ＦＤＢ内部ポートバイパス接続３２５Ａは、異なるエリア配給ボックス３２２に関連するフロア切断ボックス３２３を直接的に接続することを可能にする通信接続３２５である。各ＳＥＢループバック接続３２５Ｂは、図３に示すように、シート電子ボックス３２４の各デイジーチェーンの中の最後端のシート電子ボックス３２４と選択されたフロア切断ボックス３２３とを直接的に接続する通信接続３２５である。その結果、各ＳＥＢループバック接続３２５Ｂは、関連するフロア切断ボックス３２３と接続されているデイジーチェーン状の複数のシート切断ボックス３２４に沿ってループバックパス（ｐａｔｈ）を形成している。
【００６１】
図２Ａ，２Ｂを参照すれば、ユーザインターフェースシステム３６０は、鑑賞コンテンツ２１０を選択できるように、また選択した鑑賞コンテンツ２１０を提供できるように設けられている。所望される場合、ユーザインターフェースシステム３６０には、従来からある乗客用インターフェースが含まれ、上述した同時係属米国特許出願である２００５年６月１５日出願の「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ」（出願番号１１／１５４７４９）に記載するように、また同時係属米国特許出願である２００５年４月１９日出願の「ＳＹＳＴＥＭ  ＡＮＤ  ＭＥＴＨＯＤ  ＦＯＲ  ＰＲＥＳＥＮＴＩＮＧ  ＨＩＧＨ−ＱＵＡＬＩＴＹ  ＶＩＤＥＯ  ＴＯ  ＰＡＳＳＥＮＧＥＲＳ  ＯＮ  Ａ  ＭＯＢＩＬＥ  ＰＬＡＴＦＯＲＭ」（出願番号６０／６７３１７１）に記載するように提供される。この出願番号６０／６７３１７１は、開示内容が、その全体を参照することにより本明細書内に組み込まれている。
【００６２】
図４Ａは、乗物用情報システム３００が導入されている自動車３９０Ａ（図２Ａ参照）および／または航空機３９０Ｂ（図２Ｂ参照）などの、旅客用の乗物３９０の客室３８０を示している。客室３８０は複数の乗客用シート３８２を備えた状態で示されており、各乗客用シート３８２は特定のユーザインターフェースシステム３６０と関連付けされている。各ユーザインターフェースシステム３６０は、ビデオインターフェースシステム３６２および／またはオーディオインターフェースシステム３６４を備えている。ビデオインターフェースシステム３６２の例としては、中央制御のオーバーヘッド型客室ディスプレイシステム３６２Ａと、それぞれが個々の操作機器を備えるシート裏ディスプレイシステム３６２Ｂまたはアームレストディスプレイシステム（図示せず）と、クルー用ディスプレイパネル、および／または携帯型出力システムとが含まれる。オーディオインターフェースシステム３６４は、従来からある任意の方式で提供されており、これには、頭上スピーカシステム３６４Ａ、携帯型出力システム、および／または、例えば乗客用シート３８２のアームレスト３８８に設けられているオーディオジャックと接続するヘッドフォンとが含まれる。スピーカシステムはさらに、乗客用シート３８２のベース３８４Ｂ内に配置されているスピーカシステム３６４Ｂおよび／または乗客用シート３８２のヘッドレスト３８４Ｃ内に配置されているスピーカシステム３６４Ｃのように、乗客用シート３８２に関連付けされている。好ましい実施形態において、オーディオインターフェースシステム３６４は、オーディオインターフェースシステム３６４によって提供される音質をさらに向上させるためにオプションとしてノイズキャンセルシステムを備えている。
【００６３】
ビデオインターフェースシステム３６２とオーディオインターフェースシステム３６４は、シート裏３８６、内壁３９６、天井、および／または隔壁などの客室の表面の適した場所に導入されるか、または、乗客用シート３８２のアームレスト３８８に、同時係属米国特許出願である、２００７年７月２５日出願の「ＳＹＳＴＥＭ  ＡＮＤ  ＭＥＴＨＯＤ  ＦＯＲ  ＭＯＵＮＴＩＮＧ  ＵＳＥＲ  ＩＮＴＥＲＦＡＣＥ  ＤＥＶＩＣＥＳ」（出願番号１１／８２８１９３）と、２００７年８月７日出願の「ＵＳＥＲ  ＩＮＴＥＲＦＡＣＥ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ」（出願番号１１／８３５３７１）とにおいて記載するように提供されたマウンティングシステム３６３を介して従来からある任意の方法で導入される。これらは、本出願の承継人が選定されており、それぞれの開示内容が、その全体を参照することにより本明細書内に組み込まれている。
【００６４】
図４Ａに示すように、ユーザインターフェースシステム３６０はさらに、制御信号２２０をやりとりするなどにより、ユーザ（すなわち乗客）と情報システム３００とのやりとりを可能にする入力システム３６６を備えている。例えば、入力システム３６６は、乗物用情報システム３００の動作を制御する１つまたはそれ以上のユーザの指示２３０の入力を可能にする。ユーザ指示２３０には、実例として、コンテンツ源３１０との通信を開始する指示、出力する鑑賞コンテンツ２１０を選択する指示、および／または選択された鑑賞コンテンツ２１０の出力を操作する指示が含まれる。鑑賞コンテンツ２１０とのアクセスに料金が必要である場合、支払い情報が入力システム３６６を介して入力される。
【００６５】
入力システム３６６は、従来からある任意の方式で提供され、主として、キーボードやキーパッドなどの１つまたはそれ以上のスイッチ（またはプッシュボタン）、および／または、マウス、トラックボール、スタイラスなどのポインティングデバイスなどがある。所望される場合、入力システム３６６は、関連するビデオインターフェースシステム３６２および／またはオーディオインターフェースシステム３６４に、少なくとも部分的に統合される、および／または分離される。例えば、ビデオインターフェースシステム３６２と入力システム３６６とが、タッチスクリーンディスプレイシステムとして提供される。入力システム３６６はまた、フルサイズコンピュータ用キーボード、外付けマウス、および／またはゲームパッドなどの周辺機器である入力デバイスと乗物用情報システム３００とを接続するための１つまたはそれ以上の入力ポート（図示せず）を備えていてもよい。
【００６６】
好適には、少なくとも１つのユーザインターフェースシステム３６０が、個人ユーザ用操作デバイス２００（図４Ｂ参照）と乗物用情報システム３００とを接続するために、従来からある通信ポート（すなわちコネクタ）などの有線および／またはワイヤレスのアクセスポイント３６８を備えている。それにより、乗物３９０に乗って移動中の乗客（図示せず）は、移動中、個人的に選択した鑑賞コンテンツを楽しむことができる。アクセスポイント３６８は、関連する乗客用シート３８２の近傍に配置され、シート裏３８６、内壁３９６、天井、および／または隔壁などの客室の表面の好適な場所に設けられる。
【００６７】
図４Ｂを参照すれば、アクセスポイント３６８を介して通信する個人ユーザ用操作デバイス２００と乗物用情報システム３００とが示されている。図１に関して上述したように設けられる場合、図示された個人ユーザ用操作デバイス２００それぞれはユーザインターフェース２９０を備えている。ユーザインターフェースシステム２９０は、鑑賞コンテンツ２１０を映像出力するビデオディスプレイシステム２４０と、および／または鑑賞コンテンツ２１０を音声出力するオーディオシステム２５０を有する。各ユーザインターフェースシステム２９０はまた、ユーザ操作システム２６０を備えている。ユーザ操作システム２６０は、従来からある任意の方式で提供され、主として、キーボードやキーパッドなどの１つまたはそれ以上のスイッチ（またはプッシュボタン）、および／またはマウス、トラックボール、スタイラスなどのポインティングデバイスなどである。それにより、個人ユーザ用操作デバイス２００は、所望の鑑賞コンテンツ２１０を選択でき、選択された鑑賞コンテンツ２１０の受信および／または出力について操作することができる。
【００６８】
個人ユーザ用操作デバイス２００はさらに、通信ポート（すなわちコネクタ）２７０を備えている。通信ポート２７０は、ユーザインターフェースシステム３６０を介する個人ユーザ用操作デバイス２００と乗物用情報システム３００との通信を可能にする。個人ユーザ用操作デバイス２００Ａとともに示すように、通信ポート２７０とアクセスポイント３６８は、ワイヤレス通信をサポートしている一方で、個人ユーザ用操作デバイス２００Ｂとともに示されている通信ケーブルアセンブリ５００を介する通信ポート２７０とアクセスポイント３６８との間の有線通信もサポートしている。通信ポート２７０とアクセスポイント３６８とが通信状態にあるとき、乗物用情報システム３００は、ユーザフレンドリーな通信インターフェースを用いて、関連する個人ユーザ用操作デバイス２００と乗物用情報システム３００とを接続するシンプルな方法をサポートしている。
【００６９】
個人ユーザ用操作デバイス２００と乗物用情報システム３００とが通信状態にあるとき、乗物用情報システム３００は同時に複数の接続タスクを実行し、選択されたアクセスポイント３６８を介して個人ユーザ用操作２００と乗物用情報システム３００とを完全に接続する。それにより、乗物用情報システム３００のシステム構成要素と個人ユーザ用操作デバイス２００はやりとりすることができる。個人ユーザ用操作デバイス２００はさらに、制御信号（すなわち命令）２２０および／または作動電力２２０Ｐを、乗物用情報システム３００から受け取ることができる。それにより、個人ユーザ用操作デバイス２００は、有利に、乗物用情報システム３００のシームレスな一部分となる。
【００７０】
例えば、乗物用情報システム３００の動作を操作するユーザの指示２３０（図２Ａ，２Ｂ参照）は、乗物用情報システム３００の入力システム３６６を介して、および／または個人ユーザ用操作デバイス２００のユーザ操作システム２６０を介して提供される。言い換えれば、乗物用情報システム３００の入力システム３６６および／または個人ユーザ用操作デバイス２００のユーザ操作システム２６０は、鑑賞コンテンツ２１０を選択するために、また選択された鑑賞コンテンツ２１０の受信および／または出力を操作するために使用される。選択された鑑賞コンテンツ２１０は、乗物用情報システム３００の関連するコンテンツ源３１０（図２Ａ，２Ｂ参照）によって、および／または個人ユーザ用操作デバイス２００内のストレージメディア（図示せず）によって提供される。それにより、選択された鑑賞コンテンツ２１０の映像が、乗物用情報システム３００のビデオ出力システム３６２および／または個人ユーザ用操作デバイス２００のビデオディスプレイシステム２４０を介して表示される。乗物用情報システム３００のオーディオ出力システム３６４および／または個人ユーザ用操作デバイス２００のオーディオシステム２５０は、鑑賞コンテンツ２１０の音を出力するために使用される。個人ユーザ用操作デバイス２００のビデオディスプレイシステム２４０が乗物用情報システム３００のビデオ出力システム３６２に比べて非常に小さい場合、乗客は、選択した観賞コンテンツ２１０を大きいビデオ出力システム３６２を介して見ることを選択することができる。
【００７１】
非使用中および／または個人ユーザ用操作デバイス２００との直接的且つ物理的な接触が必要でない場合、個人ユーザ用操作デバイス２００は、乗客のシート３８２に収納される。例えば、乗客用シート３８２は、個人ユーザ用操作デバイス２００を収納する収納コンパートメント３８９を備えている。収納コンパートメント３８９は、従来からある任意の方式で、乗客用シート３８２の適切な部分に設けられている。乗客用シート３８２Ｂとともに示すように、個人ユーザ用操作デバイス２００は、乗客用シート３８２Ｂのアームレスト３８８に形成されている収納ポケット３８９Ｂに収納される。収納コンパートメント３８９はまた、乗客用シート３８２のシート裏３８６および／またはヘッドレスト３８４に設けることができる。乗客用シート３８２Ａの収納コンパートメント３８９Ａは、例えば、図示するように、乗客用シート３８２Ａのシート裏３８６の下側に形成されている。所望される場合、収納コンパートメント３８９には、頭上収納コンパートメント、ドアコンパートメント、乗客用シート３８２の下部に設けられた収納コンパートメント、または、グローブコンパートメント（小物入れ）、トランク、クローゼットなどの、乗客が乗る乗物３９０において利用できる他の従来からある収納コンパートメントが含まれる。
【００７２】
上述したように、個人ユーザ用操作デバイス２００は、乗物用情報システム３００との有線通信および／またはワイヤレス通信をサポートしている。図５Ａは、一例の通信ケーブルアセンブリ５００を介して乗物用情報システム３００と通信する個人ユーザ用操作デバイス２００を示している。通信ケーブルアセンブリ５００として、適切なケーブル長さの通信ケーブル５１０と、終端に２つまたはそれ以上のコネクタ（すなわちポート）５２０とを有する、ＵＳＢ（ｕｎｉｖｅｒｓａｌ  ｓｅｒｉａｌ  ｂｕｓ）ケーブルアセンブリなど、従来からある通信アセンブリなどがある。図５Ａに示すように、通信ケーブル５１０は、乗物用情報システム３００と取外し可能に接続するシステム側通信コネクタ（すなわちポート）５２０Ａと、個人ユーザ用操作デバイス２００と取外し可能に接続するデバイス側通信コネクタ（すなわちポート）５２０Ｂとを、その終端に有する。システム側通信コネクタ５２０Ａとデバイス側通信コネクタ５２０Ｂはそれぞれ、従来からある任意の種類のコネクタシステムでもよい。説明のために通信ケーブルアセンブリ５００のそれぞれの対向する端５１０Ａと５１０Ｂとに設けられている状態を図示して説明したが、システム側およびデバイス側通信コネクタ５２０Ａ，５２０Ｂは、通信ケーブルアセンブリ５００に、従来からある任意の方式で設けることも可能である。
【００７３】
通信ケーブルアセンブリ５００は、オーディオ信号、ビデオ信号、データ信号、制御信号２２０、および作動電力２２０Ｐの信号など、いろいろな異なる種類の信号の伝送に使用される。通信ケーブル５１０として、好ましくは、上述のものと関連する非仮特許出願であって２００８年９月１２日出願の「ＳＹＳＴＥＭ  ＡＮＤ  ＭＥＴＨＯＤ  ＦＯＲ  ＩＮＴＥＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ」（代理人事項番号７００５４６．４０２９）において詳細に記載するように、異なる信号間での干渉（すなわちクロストーク）が最小になるようなものが提供される。乗物用情報システム３００のアクセスポイント３６８は、システム側通信コネクタ５２０Ａと係合するように構成されている通信コネクタ（すなわちポート）として提供される。それにより、アクセスポイント３６８は、システム側通信コネクタ５２０Ａを受容して接続する。所望される場合、システム側通信コネクタ５２０Ａは、アクセスポイント３６８から取り外し（すなわち切断）可能にされる。
【００７４】
通信ケーブルアセンブリ５００のデバイス側通信コネクタ５２０Ｂはさらに、個人ユーザ用操作デバイス２００の通信コネクタ２７０に受容され、取り外し可能に接続される。言い換えれば、通信ケーブルアセンブリ５００のデバイス側通信コネクタ５２０Ｂは、個人ユーザ用操作デバイス２００の通信コネクタ２７０と係合する。システム側通信コネクタ５２０Ａとアクセスポイント３６８との間の接続、および／またはデバイス側通信コネクタ５２０Ｂと通信コネクタ２７０との間の接続は、上述した関連する非仮特許出願である、２００８年９月１２日出願の「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ」（代理人事項番号７００５４６．４０３７）と、２００８年９月１２日出願の「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ」（代理人事項番号７００５４６．４０３８）とにおいて詳細に記載するような取り外し式の（ｂｒｅａｋ−ａｗａｙ）通信コネクタシステムとして提供されてもよい。
【００７５】
ハンドヘルドケース（すなわちハウジング）２８０に（および／またはその内部に）設けられているユーザインターフェースシステム２９０を備えた個人ユーザ用操作デバイス２００が示されている。ユーザインターフェースシステム２９０は、図４Ｂに関して上述にて詳細に説明したように、ユーザ操作システム２６０、ビデオディスプレイシステム２４０、および／またオーディオシステム２５０それぞれを備えている。好適には、専用のボタンはなく（すなわち有限数のボタンはなく）、ユーザインターフェースシステム２９０のビデオディスプレイシステム２４０とユーザ操作システム２６０とは、乗物用情報システム３００と接続するタッチスクリーンディスプレイシステムとして提供される。タッチスクリーンディスプレイシステムとして提供される場合、ビデオディスプレイシステム２４０は、選択されたシステムの機能、鑑賞コンテンツ２１０、および／または乗物用システム３００のシステム操作モードに関連するユーザ選択可能な複数のアイコン２６０Ａを表示する。それにより、ユーザインターフェースシステム２９０は、ユーザとシンプルにやりとりできるレイアウトを備える。
【００７６】
個人ユーザ用操作デバイス２００のオーディオシステム２５０は、従来からある任意のタイプのオーディオ出力システムなどであり、所望される場合、ハンドヘルドケース（すなわちハウジング）２８０に（および／またはその内部に）設けられる内部スピーカとして提供される。図５Ａに示すように、例えば、個人ユーザ用操作デバイス２００のオーディオシステム２５０は、個人ユーザ用操作デバイス２００と周辺機器であるオーディオ出力システム（図示せず）とを接続する少なくとも１つのオーディオ接続システムを備えている。周辺機器であるオーディオ出力システムの例として、ヘッドフォン、スピーカ、および／またはアンプなどがある。好適な実施形態において、オーディオシステム２５０は、周辺機器であるオーディオ出力システムに作動電力を供給する。それにより、ノイズキャンセル式ヘッドフォンなどの周辺機器であるオーディオ出力デバイスは、オーディオシステム２５０を介して作動電力を受け取って作動する。
【００７７】
通信ケーブルアセンブリ５００を介して接続されると、個人ユーザ用操作デバイス２００と乗物用情報システム３００は、起動し、通信を維持する。それにより、乗物用情報システム３００のビデオ出力システム３６２（図４Ａ，４Ｂ参照）および／または音声出力システム３６４（図４Ａ，４Ｂ参照）によって出力する機内サービスやローカル接続の鑑賞コンテンツなどの鑑賞コンテンツ２１０を、個人ユーザ用操作デバイス２００のユーザ操作システム２６０によって選択することができる。代わりとして、および／または加えて、個人ユーザ用操作デバイス２００のビデオディスプレイシステム２４０および／またはオーディオシステム２５０に、選択された鑑賞コンテンツ２１０を出力するようにしてもよい。個人ユーザ用操作デバイス２００が有利にマルチタスク処理可能に構成されている場合、第１の選択された鑑賞コンテンツ２１０として映画などが乗物用情報システム３００のビデオ出力システム３６２およびオーディオ出力システム３６４を介して出力される。その一方で、個人ユーザ用操作デバイス２００のビデオディスプレイシステム２４０および／またはオーディオシステム２５０が、インターネット３１０Ｃ（図２Ｂ参照）によって提供された鑑賞コンテンツ２１０などの第２の選択された鑑賞コンテンツ２１０を出力する。
【００７８】
個人ユーザ用操作デバイス２００と乗物用情報システム３００は、好適には、ワイヤレス通信システムを介して通信する。図５Ｂには、アクセスポイント３６８がワイヤレス式のアクセスポイントである乗物用情報システム３００が示されている。それに対し、個人ユーザ用操作デバイス２００の通信ポート２７０はワイヤレス式の通信ポートとして設けられている。ワイヤレス式のアクセスポイント３６８の規定範囲（すなわち近傍）内に位置するとき、個人ユーザ用操作デバイス２００は、そのワイヤレス式のアクセスポイント３６８を介して乗物用情報システム３００と通信できる。それにより、個人ユーザ用操作デバイス２００は、自動的に「ホーム」モードであることを検出し、および／または、自動的に相性がよい（ｃｏｍｐａｔｉｂｌｅ）デバイスの範囲および／または種類を検出する。鑑賞コンテンツ２１０および／または制御信号（すなわち命令）２２０は、乗物用情報システム３００のワイヤレス式アクセスポイント３６８と個人ユーザ用操作デバイス２００のワイヤレス式通信ポート２７０との間でやりとりされる。乗物用情報システム３００は、個人ユーザ用操作デバイス２００用に、従来からある任意のワイヤレス通信プロトコルをサポートしている。ワイヤレスプロトコルの例として、Ｗｉ−Ｆｉ（Ｗｉｒｅｌｅｓｓ  Ｆｉｄｅｌｉｔｙ）プロトコル（ＩＥＥＥ標準８０２．１１準拠）、および／または、ＷｉＭａｘワイヤレスブロードバンドプロトコルとして知られている、ＭＡＮ（Ｍｅｔｒｏｐｏｌｉｔａｎ−Ａｒｅａ  Ｎｅｔｗｏｒｋ）（ＩＥＥＥ標準８０２．１６準拠）がある。
【００７９】
図６Ａを参照すれば、リッチなユーザ体験ができるタッチスクリーンディスプレイシステムとして提供された、ビデオディスプレイシステム２４０とユーザ操作システム２６０とを備えた個人ユーザ用操作デバイス２００のユーザインターフェースシステム２９０が示されている。タッチスクリーンディスプレイシステムとして、例えば、投影型静電容量式タッチスクリーン技術が採用可能である。表示域の表面を非常に滑らかにするために、タッチスクリーンディスプレイシステムは、表示域において突起（または隙間）が除かれており、それによりほぼ密封できてクリーニングが容易である。静電容量式タッチスクリーンディスプレイの一例として、イギリスのサリー州のＴｒｉｄｅｎｔ社製、カリフォルニア州メンロパークのＥｌｏ  ＴｏｕｃｈＳｙｓｔｅｍｓ社製、テキサス州シーダーパークのＴｏｕｃｈＫＯ社製のものがある。タッチスクリーンディスプレイシステムのカラーマスクがタッチスクリーンパネルとディスプレイとの間に配置される場合、表面方静電容量式タッチスクリーンディスプレイシステムを採用するのがよい。説明の目的のためだけに静電容量式タッチスクリーン技術を示して説明したが、タッチスクリーンディスプレイシステムに、抵抗式タッチスクリーン技術および／または赤外線式タッチスクリーン技術などの他のタッチスクリーン技術を用いることも可能である。
【００８０】
タッチスクリーンディスプレイシステムは、図５Ａ，５Ｂに関して上述にて詳細に説明したように、ユーザによって選択可能な複数のアイコン２６０Ａを表示する。特に、基本操作選択ボタン（ｂａｓｉｃ  ｃｏｎｔｒｏｌ  ｓｅｌｅｃｔｉｏｎｓ）２６２Ａ−２６２Ｅを備え、一部が階層的なメニューシステムであるメインメニューシステム２６２を表示するユーザインターフェースシステム２９０が示されている。メインメニューシステム２６２の好適な一実施形態が図６Ａに図示されている。ユーザインターフェースシステム２９０は、好適には、電源投入中（すなわち作動中）、そうでなければ初期化されるときにメインメニューシステム２６２を表示し、基本操作選択ボタン２６２Ａ−２６２Ｅそれぞれが、双方向の次の階層（ｓｕｂｓｅｑｕｅｎｔ  ｔｉｅｒｓ）（またはレベル）および／または階層型メニューシステム内の操作に関連付けされる。基本操作選択ボタン２６２Ａ−２６２Ｅの一例として、ディナー用（すなわちフードサービス用）操作選択ボタン２６２Ａ、ショッピング用操作選択ボタン２６２Ｂ、乗物用情報システム通信用操作選択ボタン２６２Ｃ、ミュージック用操作選択ボタン２６２Ｄ、および／またはテレビ（または映画）用操作選択ボタン２６２Ｅなどがある。
【００８１】
基本操作選択ボタン２６２Ａ−２６２Ｅそれぞれは、関連する操作選択を同定する識別マーク（ｉｄｅｎｔｉｆｙ  ｉｎｄｉｃｉａ）２６４に関連付けされている。図６Ａに示すように、識別マーク２６４は、単語または略語などのテキスト２６４Ａを使用する、および／または関連する操作選択を同定する少なくとも１つのシンボル（すなわちアイコン）２６４Ｂ使用するなど、従来からある任意の方式で基本操作選択ボタン２６２Ａ−２６２Ｅを同定する。テキスト表記２６４Ａは、１つまたはそれ以上の関連する言語で示され、好適には、乗物用情報システム３００の地理的位置に基づいて適する言語が表示されるように変化する。双方向の各階層および／または階層型メニューシステム内における操作ボタンは、図６Ａに図示するようなテキスト表記２６４Ａなどの、識別マーク２６４に関連付けされている。個人ユーザ用操作デバイス２００の動作が好適にはソフトウエアプログラムによるものなので、ユーザインターフェースシステム２９０の各機能は所望にカスタマイズすることができる。例えば、テキスト表記２６４Ａおよび／またはシンボル２６４Ｂなどの識別マーク２６４、色、基本操作選択ボタン２６２Ａ−２６２Ｅ、メインメニューシステム２６２、および／または階層型メニューシステムは、ユーザの好みに合わせて、または乗物運営者のブランディングに関連して簡単に変更することができる。
【００８２】
ユーザインターフェースシステム２９０によって表示されるメインメニューシステム２６２の代わりの好適な実施形態が、図７Ａ−７Ｆに示されている。図７Ａ−７Ｆに図示するように、メニューシステム２６２の各レベルに、操作選択ボタン２６２Ａ−２６２Ｅが適当な配置および／または数で含まれる。メニューシステム２６２の選択されたレベルでの操作選択ボタン２６２Ａ−２６２Ｅの数は、主にメニューシステムのレベルに関連する操作オプションの数によって決定される。操作選択ボタン２６２Ａ−２６２Ｅの識別マーク２６４は、ユーザの好みに合わせて、または関連して乗物運営者のブランディングに合うようにカスタマイズすることができる。例えば、階層型メニューシステムは、ユーザがカスタム用識別マーク２６４を選択できるようにする、また階層型メニューシステムの１つまたはそれ以上のシステムレベルの表示をカスタ枚図できるようにする設定メニューのレベルを含んでいる。説明のために階層型メニューシステムのメインメニューシステム２６２について図示して説明したが、メインメニューシステム２６２の本明細書での説明は、階層型メニューシステム内の他のメニューレベルにも同等に適用可能である。
【００８３】
図７Ａを参照すれば、例えば、操作選択ボタン２６２Ａ−２６２Ｅのための識別マーク２６４の実例が示されている。操作選択ボタン２６２Ａ−２６２Ｅは、従来からある任意の方式で、好ましくは乗物用情報システム３００（図２Ａ，２Ｂ参照）の関連するシステムの機能を同定できるように提供されている。図７Ａに示すように、操作選択ボタン２６２Ａ−２６２Ｅは、個人ユーザ用操作デバイス２００のビデオディスプレイシステム２４０の長寸に沿って横に並んで設けられる。また、操作選択ボタン２６２Ａ−２６２Ｅは、図７Ｂに図示するように、縦に並んで設けることもできる。少なくとも１つの加速度計（図示せず）が設けられている場合、個人ユーザ用操作デバイス２００は、個人ユーザ用操作デバイス２００の姿勢を検出し、操作選択ボタン２６２Ａ−２６２Ｅを縦方向または横方向のいずれかの適切な方向に並べて表示する。
【００８４】
図７Ｃに示すように、ユーザインターフェースシステム２９０のユーザ操作システム２６０が操作システムツールバーとして提供されている（または配置されている）。操作システムツールバーは、従来からある任意の様式で表示され、適当な操作システム機能（ｆｕｎｃｔｉｏｎ）を含んでいる。図７Ｃに図示するように、操作システムツールバーは、メインメニューシステム２６２の操作選択ボタン２６２Ａ−２６２Ｅに隣接して配置されている。階層型メニューシステムの操作を容易にするために、操作システムツールバーの操作システム機能として、階層型メニューシステムのいずれかのメニューレベルからメイン（またはホーム）メニューシステムに直接的に戻るためのメインメニュー操作機能２６０Ｈが備えられている。操作システムツールバーの操作システム機能として、さらに、階層型メニューシステム内の直前に見たメニューレベル（すなわち上位／下位のメニューレベル）に直接的に戻るための前レベル操作機能２６０Ｒが備えられている。操作選択ボタン２６２Ａ−２６２Ｅの識別マーク２６４とユーザインターフェースシステム２９０の操作システムツールバーの別の実施形態が、図７Ｄに図示されている。
【００８５】
所望される場合、操作選択ボタン２６２Ａ−２６２Ｅの識別マーク２６４は、図７Ｅに図示するように、サークル状に配列される。操作システムツールバーは、サークル状に配列された操作選択ボタン２６２Ａ−Ｅに隣接して配置されている。有利に、操作選択ボタン２６２Ａ−２６２Ｅに関する概要や要約などの選択情報２９６を含んだ操作システムツールバーが図７Ｅに示されている。ユーザインターフェースシステム２９０はさらに、ユーザに関連する、または乗物運営者のブランディングに関連する特殊化したマーク２９２，２９４を含んで示されている。図７Ｅに示すように、特殊マーク２９２，２９４として、乗物運営者に関連する商標名および／またはロゴなどの定型化されたネームおよび／またはロゴが含まれる。図７Ｆに示すように、操作選択ボタン２６２Ａ−２６２Ｅの識別マーク２６４が、ユーザの好みに合わせて、または乗物運営者のブランディングに関連して完全にカスタマイズされている。
【００８６】
図６Ａを参照すれば、ユーザインターフェースシステム２９０のユーザ操作システム２６０は、所望される場合、タッチスクリーンディスプレイシステムに少なくとも部分的に一体化された１つまたはそれ以上のユーザ操作ボタン２６６，２６８を備えている。ユーザ操作ボタンの例として、オーディオ調整操作システム２６６および／またはメニュー選択システム２６８などがある。オーディオ調整操作システム２６６は、従来からある任意の方式で提供され、音量増操作ボタン２６６Ｕと音量減操作ボタン２６６Ｄを備えるものが図６Ａに示されている。所望される場合、オーディオ調整操作システム２６６は、図７Ｃに関連して上述にて説明された操作システムツールバーに含まれる。メニュー選択システム２６８はさらに、従来からある任意の方式で提供され、これにより、ユーザはメインメニューシステム２６２内の基本操作選択ボタン２６２Ａ−２６２Ｅを見ることができる。図６Ａに示すように、メニュー選択システム２６８は、左スクロール操作ボタン２６８Ｌと右スクロール操作ボタン２６８Ｒとを備えている。有利に、ユーザインターフェースシステム２９０は、現在の基本操作選択ボタン２６２Ｃを、現在の基本操作選択ボタン２６２Ｃに関連する識別マーク２６４を反転表示するまたは他の方法で強調表示することにより指し示す。図６Ａの現在の基本操作選択ボタン２６２Ｃは、関連するシンボル２６４Ｂを拡大することによって強調されている。一方、図７Ａの現在の基本操作選択ボタン２６２Ｃは、識別マーク２６４内に「Ｓｅｌｅｃｔ」の用語を含めることによって区別されている。
【００８７】
個人ユーザ用操作デバイス２００は、ハンドヘルドケース（またはハウジング）２８０内に配置されてもよい。ハンドヘルドハウジング２８０は、適当な形状、大きさ、質感、および／または色にされ、図６Ａに示すように長方形形状にされている。所望される場合、個人ユーザ用操作デバイス２００は、部分的および／または全体が、キャストラバー、シリコン、プラスチックブーツなどの、図６Ｂに示すような、エルゴノミック（人間工学的）（またはプロテクト）カバーアセンブリ２８２内に配置される。エルゴノミックカバーアセンブリ２８２は、個人ユーザ用操作デバイス２００を収容できるように構成され、カバーの内側表面２８２Ｂによって定義されるカバー開口２８２Ａを形成している。代わりとして、または付加的に、ハンドヘルドハウジング２８０が、エルゴノミックカバーアセンブリ２８２の形状、大きさ、質感、および／または色にされる。
【００８８】
個人ユーザ用操作デバイス２００がカバーアセンブリ２８２のカバー開口２８２Ａ内に収容される場合、カバーアセンブリ２８２が個人ユーザ用操作デバイス２００にエルゴノミックグリップ２８２Ｄを付与するように、カバーの内部表面２８２Ｂが、個人ユーザ用操作デバイス２００のハンドヘルドハウジング２８０に係合する。カバーアセンブリ２８２はまた、ユーザがカバーアセンブリ２８２を介してユーザ操作システム２６０を見る、動かす、やりとりすることができるように操作インターフェース２８２Ｃを備える。好適には、カバーアセンブリ２８２が半透明（または透明）材料から形成される、および／または、ユーザ操作システム２６０が、カバーアセンブリ２８２を介してユーザ操作システム２６０に容易にやりとりできるように光を発する。言い換えれば、タッチスクリーンディスプレイシステムがカバーアセンブリ２８２を介してユーザ操作システム２６０に関連する色、テキスト、および／またはシンボルを投影することにより、ユーザ操作システム２６０が可視化される。所望される場合、個人ユーザ用操作デバイス２００は、のちにカバーアセンブリ２８２から分離できるようにされている。
【００８９】
個人ユーザ用操作デバイス２００のエルゴノミック性をさらに高めるために、ハンドヘルドハウジング２８０は、図６Ｃに示すように、１つまたはそれ以上のテーパー（または曲面）状のハウジング部分２８４を備えている。テーパー状のハウジング部分２８４は、ハンドヘルドハウジング２８０の適する表面であればいずれに設けてもよく、個人ユーザ用操作デバイス２００をより掴みやすくするために設けられる。例えば、対向する端にテーパー部２８４Ａ，２８４Ｂを備えるハンドヘルドハウジング２８０が示されている。ハンドヘルドハウジング２８０はさらに、所望される場合、少なくとも１つの側面にテーパー部２８４Ｃを備える。ハンドヘルドハウジング２８０の形状、大きさ、質感、および／または色は、ユーザの好みに合わせて、または乗物運営者のブランディングに関連して容易に提供される。個人ユーザ用操作デバイス２００はまた、ハンドヘルドハウジング２００上にテキストおよび／またはシンボル（またはアイコン）などの識別マークを備える。図６Ｄに示すように、カラーバンド２８６をハンドヘルドハウジング２８０の側面部分に配置する。
【００９０】
図６Ａ−６Ｄに関連して上述にて説明したように、個人ユーザ用操作デバイス２００のビデオディスプレイシステム２４０とユーザ操作システム２６０とは、ハンドヘルドハウジング２８０上（および／または内部）に配置されるタッチスクリーンディスプレイシステムとして提供される。図８Ａを参照すれば、個人ユーザ用操作デバイス２００に結合して使用されるディスプレイオーバーレイシステム４００が示されている。個人ユーザ用操作デバイス２００とディスプレイオーバーレイシステム４００は、図８Ａに示すように、分離したシステムとして、および／または少なくとも部分的に結合（または連結）して提供される。ディスプレイオーバーレイシステム４００は、個人ユーザ用操作デバイス２００のハンドヘルドハウジング２８０と係合するように構成されているオーバーレイハウジング４２０を備えている。図８Ａに示すように、オーバーレイハウジング４２０は、ハンドヘルドハウジング２８０を収容して係合するオーバーレイ開口（図示せず）を形成している。それにより、ディスプレイオーバーレイシステム４００と個人ユーザ用操作デバイス２００とが連結する。所望される場合、オーバーレイハウジング４２０は、ディプレイオーバーレイシステム４００と個人ユーザ用操作デバイス２００とが取り外し可能に連結するように、ハンドヘルドハウジング２８０と係合解除可能にされている。
【００９１】
ディスプレイオーバーレイシステム４００は、少なくとも１つのユーザコントローラインターフェース部４１０を備えている。各ユーザコントローラインターフェース部４１０は、ユーザによって押される１つまたはそれ以上のボタン部４１２を備えている。ボタン部４１２は、ディスプレイオーバーレイシステム４００と個人ユーザ用操作デバイス２００とが連結しているときに押されると、タッチスクリーンディスプレイシステムの対応する部分と接触する。それにより、ユーザはディスプレイオーバーレイシステム４００を介して個人ユーザ用操作デバイス２００のタッチスクリーンディスプレイシステムとやりとりすることができる。タッチスクリーンディスプレイシステムの各位置に予め決められた機能を関連付ける（すなわちマッピングする）ことにより、選択されたユーザコントローラインターフェース部４１０の選択されたボタン部４１２を動かすと、予め決められた機能が作動する。個人ユーザ用操作デバイス２００は、ユーザコントローラインターフェース部４１０の数、構成、および／または配置が異なる複数のディスプレイオーバーレイシステム４００が使用できるように構成されている。それにより、個人ユーザ用操作デバイス２００のユーザインターフェースシステム２９０（図４Ｂ参照）を簡単にカスタマイズすることができる。言い換えれば、個人ユーザ用操作デバイス２００は、適当なディスプレイオーバーレイシステム４００を選択することによりカスタマイズされる。
【００９２】
図８Ａに示すように、ディスプレイオーバーレイシステム４００は、それぞれが４つのボタン部４１２を備えている２つのユーザコントローラインターフェース部４１０Ａ，４１０Ｂを備えている。各コントローラインターフェース４１０Ａ，４１０Ｂは、適当な数、配置、および／または構成のボタン部４１２を備えている。図８Ａのボタン部４１２は、オーバーレイハウジング４２０と同一平面であって、触覚フィードバックを提供する。好適には、ボタン部４１２は、ボタン部４１２と関連する機能を同定する識別マーク４１４に関連付けされている。第１のユーザコントローラインターフェース部４１０Ａの識別マーク４１４は方向を示す矢印であって、それに対して、第２のユーザコントローラインターフェース部４１０Ｂの識別マーク４１４は、テキスト、数字、または文字などである。説明のためだけにボタン部４１２が示されて説明されているが、ユーザコントローラインターフェース部４１０としては、制限はなく、プッシュボタンスイッチ、ロッカースイッチ、スライダースイッチ（またはゲームパッド）（図８Ｂ参照）、回転スイッチ、および／またはトグルスイッチなど、従来からある任意のタイプのコントローラインターフェースが含まれる。
【００９３】
識別マーク４１４は、従来からある任意の方式でボタン部４１２に関連付けされている。例えば、識別マーク４１４は、オーバーレイハウジング４２０上に形成されている、または貼り付けられている。識別マーク４１４は、ボタン部４１２内に形成される切抜き部によって形成され、個人ユーザ用操作デバイス２００のタッチスクリーンディスプレイシステムの光がその切抜き部を通過する。タッチスクリーンディスプレイシステムからの光は、任意の適当な色および／または輝度である。所望される場合、ディスプレイオーバーレイシステム４００のボタン部４１２はまた、半透明（または透明）の材料から形成される。それにより、識別マーク４１４は、個人ユーザ用操作デバイス２００のタッチスクリーンディスプレイシステムによってグラフィック表示として表現され、半透明のボタン部４１２を透して見える。ボタン部４１２がディスプレイオーバーレイシステム４００のユーザインターフェース部４５０（図８Ｃ参照）に配置され、ユーザインターフェース部４５０の少なくとも一部が半透明（または透明）材料によって形成される。
【００９４】
好適には、識別マーク４１４は、関連するボタン部４１２が機能している（すなわち使用中である）ときは明るくなるまたは視認できるようになり、関連するボタン部４１２が機能していないときはオーバーレイハウジング４２０に溶け込む。選択されたコントローラインターフェース部４１０がゲームコントローラに関連する場合、例えば、個人ユーザ用操作デバイス２００（すなわち乗物用情報システム３００）がゲームモードである場合、選択されたコントローラインターフェース部４１０に関連する識別マーク４１４が明るくなる。例えば、図８Ｂには、個人ユーザ用操作デバイス２００をゲームモードにするためのスイッチシステム４３０を備えるディスプレイオーバーレイシステム４００が示されている。
【００９５】
図８Ｂに、ディスプレイオーバーレイシステム４００のオーバーレイハウジング４２０の凹部にコントローラインターフェース部４１０が配置されている一態様が示されている。図８Ｂに示すように、オーバーレイハウジング４２０は、関連するコントローラインターフェース部４１０に隣接した凹部（くぼみ部）４２２を備える。オーバーレイハウジング４２０の凹部４２２は、関連するコントローラインターフェース部４１０がオーバーレイハウジング４２０の表面を越えて突出しないようにしている。言い換えると、凹部４２２は、コントローラインターフェース部４１０がオーバーレイハウジング４２０と同一平面になるようにしている。
【００９６】
ディスプレイオーバーレイシステム４００は、個人ユーザ用操作デバイス２００のハンドヘルドハウジング２８０に、従来からある任意の方式で、連結（すなわち配置）する。ハンドヘルドハウジング２８０によって提供されるユーザインターフェース２９０（図４Ｂ参照）のカスタマイズを容易にするために、ディスプレイオーバーレイシステム４００は、好適には、取り外し可能におよび／または調整可能にハンドヘルドハウジング２８０に連結される。図８Ｃを参照すれば、例えば、ディスプレイオーバーレイシステム４００は、個人ユーザ用操作デバイス２００のデバイス側マグネット連結システム２８８と結合するオーバーレイ側マグネット連結システム４４０を備えている。オーバーレイ側マグネット連結システム４４０は、オーバーレイハウジング４２０の１つまたはそれ以上の適当な部分に設けられ、オーバーレイハウジング４２０の内部（または表面上）に配置される。同様に、デバイス側マグネット連結システム２８８は、ハンドヘルドハウジング２８０の１つまたはそれ以上の適当な部分に設けられ、ハンドヘルドハウジング２８０の内部（または表面上）に配置される。それにより、ディスプレイオーバーレイシステム４００は、個人ユーザ用操作デバイス２００の取り外し可能な化粧板として提供され、個人ユーザ用操作デバイス２００と係合する。
【００９７】
代わりとしておよび／または加えて、ディスプレイオーバーレイシステム４００は、個人ユーザ用操作デバイス２００のハンドヘルドハウジング２８０と回転可能に連結する。図８Ｄに示すように、例えば、ヒンジシステム４６０が、ディスプレイオーバーレイシステム４００とハンドヘルドハウジング２８０とを連結する。ヒンジシステム４６０は、従来からある任意の方式で提供され、オーバーレイハウジング４２０および／またはハンドヘルドハウジング２８０の適当な表面に接続されている。それにより、ディスプレイオーバーレイシステム４００は、ユーザインターフェースシステム２９０（図４Ｂ参照）を提供するために、個人ユーザ用操作デバイス２００のタッチスクリーンディスプレイシステムの近くに向かって回転することができる。ディスプレイオーバーレイシステム４００は、同様に、非使用時には、タッチスクリーンディスプレイシステムから離れるように回転することができる。図８Ｄに示すように、ハンドヘルドハウジング２８０は、有利に、ハンドヘルドハウジング２８０の裏側面（すなわちタッチスクリーンシステムの反対側面）などの、収容面２８９を備えている。それにより、ヒンジシステム４６０が、ディスプレイオーバーレイシステム４００の非使用時に、収容面２８９に隣接してディスプレイオーバーレイシステム４００を配置することができる。所望される場合、収容面２８９は、ディスプレイオーバーレイシステム４００が収容面２８９に隣接しているときにユーザコントロールインターフェース部４１０を収容する、１つまたはそれ以上の凹部２８９Ａを形成している。
【００９８】
図８Ｅを参照すれば、ディスプレイオーバーレイシステム４００は、複数の分離型ディスプレイオーバーレイサブシステム４００Ａ，４００Ｂとして提供される。図８Ｅに示すディスプレイオーバーレイシステム４００は、２つのオーバーレイサブシステム４００Ａ，４００Ｂを有する。各オーバーレイサブシステム４００Ａ，４００Ｂのオーバーレイハウジング４２０は、個人ユーザ用操作デバイス２００のハンドヘルドハウジング２８０の所定部分を受け入れる開口部４７０を形成している。オーバーレイサブシステム４００Ａ，４００Ｂそれぞれは、ハンドヘルドハウジング２８０の適当な部分を受け入れ、図８Ｅに示すように、ハンドヘルドハウジング２８０の対向端を受け入れる。ハンドヘルドハウジング２８０と連結しているとき、オーバーレイサブシステム４００Ａ，４００Ｂは、図８Ｅに示すように部分的に、および／または全面にわたって、個人ユーザ用操作デバイス２００のタッチスクリーンディスプレイシステム上を延びている。オーバーレイサブシステム４００Ａ，４００Ｂがタッチスクリーンディスプレイシステム上を部分的に延びる場合、オーバーレイサブシステム４００Ａ，４００Ｂの間のタッチスクリーンディスプレイシステムの少なくとも一部が露出したままになる。それにより、オーバーレイサブシステム４００Ａ，４００Ｂを、透明（または半透明）のプラスチック製のユーザコントローラインターフェース部４１０を備える不透明なラバー製（またはプラスチック製）グリップとして形成することができる。使用後、オーバーレイサブシステム４００Ａ，４００Ｂは、保管場所に重ねて置かれる。
【００９９】
原文になし
【０１００】
ゲーム用コントローラとして使用できるように構成されている（またはカスタマイズされている）とき、個人ユーザ用操作デバイス２００は、適切な、数、形状、および／または配置のユーザコントローラインターフェース部４１０を備える。それにより、所定のゲームに使用できるように、個人ユーザ用操作デバイス２００のユーザインターフェースシステム２９０（図４Ｂ参照）はカスタマイズされる。好適な一実施形態においては、ユーザインターフェースシステムは、個人ユーザ用操作デバイス２００に組み込まれたゲーム操作システム（図示せず）を備える。ゲーム操作システムは、ゲームモードが選択されるまで表示されず、関連するゲーム部が個人ユーザ用操作デバイス２００から退避される。
【０１０１】
個人ユーザ用操作デバイス２００は、多目的に且つ直感的に使用でき、自宅などの標準的なユーザ環境に合わせて容易にカスタマイズできるユーザインターフェースシステム２９０を備える。所望される場合、個人ユーザ用操作デバイス２００は、電話（図示せず）として提供される。電話として提供される場合、個人ユーザ用操作デバイス２００は、二重地上通信線（ｄｕａｌ  ｌａｎｄｌｉｎｅ）電話および／またはインターネットプロトコル（ＩＰ）電話として作動する。ユーザは、電話用の通信プロトコルを選択でき、および／またはデフォルトの電話用の通信プロトコルは、デバイスのセットアップ中に同定される。９−１−１呼び出しなどの緊急の電話呼び出しの場合、地上用通信線電話用の通信プロトコルが自動的に選択される。それにより、個人ユーザ用操作デバイス２００は、写真、テキストメッセージ、および／またはビデオ（またはアニメ）の呼び出し表示などの拡張機能を含む、標準的な家庭用電話の機能を備えることができる。個人ユーザ用操作デバイス２００は、同様に、電話として提供される場合、カスタマイズされたユーザ固有の機能を提供する。カスタマイズされたユーザ固有の機能の例として、一体型ソフトーキーボード、高齢者（視覚障害者）用拡大テキストフォーマット、重要な電話番号を提供するベビーシッターモード、楽しみ（ｆｕｎ）、子供用の風変わりなインターフェースシステム２９０、電子メール（またはそれ以外の）連絡用のホスト（またはブリッジ）コンタクト情報、および／またはセルラーデータにリンクするワイヤレス通信などがある。
【０１０２】
個人ユーザ用操作デバイス２００は、有利に、最先端の電話会議またはビデオ会議を手助けするワイドレンジノイズキャンセラーマイク（図示せず）を提供する。個人ユーザ用操作デバイス２００は、インターネットプロトコル（ＩＰ）テクノロジーを介して、情報システム１００（図１参照）に接続する。それにより、ステレオおよび／またはテレビが、家族の会話やビジネス上の会話を手助けする。個人ユーザ用操作デバイス２００はまた、ハンズフリーの会話を容易にするスピーカーフォンをサポートする。
【０１０３】
高性能なユーザ操作システム２６０（４Ｂ参照）が所望される場合、個人ユーザ用操作デバイス２００は、１つまたはそれ以上の周辺機器であるユーザデバイス（図示せず）とドッキングする。個人ユーザ用操作デバイス２００は、例えば、インターネットとアクセスする、文章をタイピングする、および／または電子メール（ｅｍａｉｌ）メッセージを送信するために使用できる、特別仕様のキーボードとドッキングする。その結果、個人ユーザ用操作デバイス２００は、キーボードシステムのためのフィードバック機構として使用される。好適には、キーボードシステムは、通信リンクおよび／またはバッテリを持たないダム（ｄｕｍｂ）デバイスとして提供され、個人ユーザ用操作デバイス２００はモデムとして作動する。個人ユーザ用操作デバイス２００は、マグネット連結システムを介することを含む、従来からある任意の方式でキーボードシステムとドッキングする。
【０１０４】
個人ユーザ用操作デバイス２００が家庭で使用される場合、メニューシステムは、セキュリティデバイス、保安灯、および／またはセキュリティブラインド（ｓｅｃｕｒｉｔｙ  ｂｌｉｎｄｓ）を含む、家庭用セキュリティシステムを操作するために使用される。例えば、個人ユーザ用操作デバイス２００は、乗物３９０（図２Ａ，２Ｂ参照）に乗って移動中など、家外から家庭用セキュリティシステムを遠隔操作し続けることができる。家庭用ＣＣＴＶ（ｃｌｏｓｅｄ  ｃｉｒｃｕｉｔ  ｔｅｌｅｖｉｓｉｏｎ）の防犯ビデオ映像を、同様に、家に入る前に、個人ユーザ用操作デバイス２００を介して見ることができる。必要とされる場合、個人ユーザ用操作デバイス２００は、家庭用セキュリティシステムを遠方監視でき、警報システムが作動すれば、セキュリティに関する警告を報知する。
【０１０５】
個人ユーザ用操作デバイス２００は、同様に、有利に、ユニバーサルリモートコントロールシステムとして作動する。個人用ユーザ操作デバイス２００は、エンターテイメントシステムなどの、従来からある任意のメディアシステムと互換性があるように構成されている。それにより、個人ユーザ用操作デバイス２００は、メディアシステムを遠隔操作する、またはやり取りすることができる。個人ユーザ用操作デバイス２００は、例えば、インターネットプロトコルテレビ（ＩＰＴＶ）、従来からあるテレビシステム、および従来からある他の任意のエンターテイメントシステムと離れた位置からやりとりできる。所望される場合、個人ユーザ用操作デバイス２００は、カリフォルニア州クパチーノのアップル社製のｉＰｏｄ（登録商標）デジタル電子メディアデバイスおよび／またはｉＰｈｏｎｅ（登録商標）デジタル電子メディアデバイス用の、リモートコマンドやリモート操作を提供する。それにより、個人用ユーザ操作デバイス２００は、ｉＰｏｄ（登録商標）デジタル電子メディアデバイスおよび／またはｉＰｈｏｎｅ（登録商標）デジタル電子メディアデバイスのプレイリストを制御して操作できる。
【０１０６】
個人ユーザ用操作デバイス２００の多目的に且つ直感的に使用できるユーザインターフェースシステム２９０は、同様に、自動車３９０Ａ（図２Ａ参照）および／または航空機３９０Ｂ（図２Ｂ参照）などの、乗物３９０（図２Ａ，２Ｂ参照）に使用できるようにカスタマイズされる。有利に、個人ユーザ用操作デバイス２００は、家と乗物３９０との間をシームレスに感じさせることができる。個人ユーザ用操作デバイス２００は、例えば、個人データや認証信任書（ａｕｔｈｅｎｔｉｃａｔｉｏｎ  ｃｒｅｄｅｎｔｉａｌｓ）を持ち、乗物３９０のためのワイヤレスネットワークインターフェースとして拡張する。所望される場合、個人ユーザ用操作デバイス２００はまた、家と乗物３９０とを地上電話線によって橋渡し（ｂｒｉｄｇｅ）する。それにより、ユーザは、乗物３９０での移動中に、個人ユーザ用操作デバイス２００を介して家に電話をかけるおよび／または家にかかってきた電話を受けることができる。
【０１０７】
個人ユーザ用操作デバイス２００は、統合型セルラーネットワークインターフェースなどの電話ネットワークインターフェース、および家庭用基地局のインターネットプロトコル（ＩＰ）特性を使用する。電話の呼び出しは、乗物３９０に導入されている電話インターフェース（図示せず）を介してなど、従来からある任意の方法で伝えられる（すなわち出力される）。好適な実施形態において、個人ユーザ用操作デバイス２００は、電話の呼び出しを伝えるために使用される。家の電話への呼び出しを開始するときおよび／または家の電話に対する呼び出しを受け取るとき、個人ユーザ用操作デバイス２００は、有利に、電話の呼び出しを、整合性をもって、ユーザの便宜を図りつつ、および／または高齢（または若年）ユーザ向けに対応して伝えることができる。
【０１０８】
乗物３９０内で使用されるとき、個人ユーザ用操作デバイス２００はまた、有利に、ユニバーサルリモートコントロールシステムとして作動する。それにより、個人ユーザ用操作デバイス２００は、乗物用エンターテイメントシステムを含む、従来からある任意の乗物用情報システム３００と互換性があるように構成される。例えば、個人ユーザ用操作デバイス２００は、乗物情報システム３００のビデオ出力システム３６２（図４Ａ，４Ｂ参照）および／またはオーディオ出力システム３６４（図４Ａ，４Ｂ参照）を操作することができる。
【０１０９】
個人ユーザ用操作デバイス２００は、個人用メディアデバイス（図示せず）用の、制御信号２２０（図２Ａ，２Ｂ参照）などのリモートコマンドとリモート操作をサポートする。個人用メディアデバイスについては、上述した同時係属米国特許出願である、２００４年２月４日出願の「ＳＹＳＴＥＭ  ＡＮＤ  ＭＥＴＨＯＤ  ＦＯＲ  ＤＯＷＮＬＯＤＩＮＧ  ＦＩＬＥＳ」（出願番号１０／７７２５６５）、２００５年６月１５日出願の「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ」（出願番号１１／１５４７４９）、および２００５年１１月７日出願の「ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ」（出願番号１１／２６９３７８）と、上述した関連する非仮特許出願であって２００８年９月１２日出願の「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ」（代理人事項番号７００５４６．４０３７）とに記載されている。所望される場合、個人用メディアデバイスとして、カリフォルニア州クパチーノのアップル社製のｉＰｏｄ（登録商標）デジタル電子メディアデバイスおよび／またはｉＰｈｏｎｅ（登録商標）デジタル電子メディアデバイスが提供される。
【０１１０】
個人用メディアデバイスがｉＰｏｄ（登録商標）デジタル電子メディアデバイスおよび／またはｉＰｈｏｎｅ（登録商標）デジタル電子メディアデバイスである場合、例えば、個人ユーザ用操作デバイス２００は、ｉＰｏｄ（登録商標）デジタル電子メディアデバイスおよび／またはｉＰｈｏｎｅ（登録商標）デジタル電子メディアデバイスと、上述した関連する非仮特許出願であって、２００８年９月１２日出願の「ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＴＥＭ」（代理人事項番号７００５４６．４０２９）、２００８年９月１２日出願の「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＩＣＬＥ  ＩＮＦＯＲＭＡＴＩＯＮ  ＳＹＳＴＥＭＳ」（代理人事項番号７００５４６．４０３７）、および２００８年９月１２日出願の「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ」（代理人事項番号７００５４６．４０３８）において記載する方法で通信する。
【０１１１】
それにより、個人ユーザ用操作デバイス２００は、ｉＰｏｄ（登録商標）デジタル電子メディアデバイスおよび／またはｉＰｈｏｎｅ（登録商標）デジタル電子メディアデバイスを、管理して操作することができる。好適な実施形態において、個人ユーザ用操作デバイス２００は、乗物３９０において使用される場合、ｉＰｏｄ（登録商標）デジタル電子メディアデバイスおよび／またはｉＰｈｏｎｅ（登録商標）デジタル電子メディアデバイスが自宅においてドッキングした状態であっても、ｉＰｏｄ（登録商標）デジタル電子メディアデバイスおよび／またはｉＰｈｏｎｅ（登録商標）デジタル電子メディアデバイスを管理して操作することができる。所望される場合、個人ユーザ用操作デバイス２００は、自動車の乗員それぞれについて対応したメニューシステムを提供する。
【０１１２】
個人ユーザ用操作デバイス２００は、自動車のインダッシュプレートシステムなど、従来からある自動車のダッシュフェイスプレートシステムと同様の方法で、取り外し可能なインダッシュフェイスプレートシステムとして扱えるようにカスタマイズされる。取り外し可能なダッシュフェイスプレートシステムとして使用される場合、個人ユーザ用操作デバイス２００は、ユーザに対応した自宅−乗物間設定および／またはユーザに対応した乗物−乗物間設定などの、ユーザに対応した設定を提供する。個人ユーザ用操作デバイス２００はまた、乗物用ナビゲーションシステム（図示せず）に関連付けされる。所望される場合、個人ユーザ用操作デバイス２００は、乗物用ナビゲーションシステムを構成する、および／または従来からある乗物用ナビゲーションシステムと協働するようにカスタマイズされる。それにより、個人ユーザ用操作デバイス２００は、個人に対応した（または消去可能な）名所情報を提供することができ、および／またはチャーチルストラテジー（Ｃｈｕｒｃｈｉｌｌ  ｓｔｒａｔｅｇｙ）に関連付けされる（すなわち関係付けされる）。
【０１１３】
乗物３９０において使用される場合、個人ユーザ用操作デバイス２００はまた、有利に、ゲーム操作システムとして作動する。個人ユーザ用操作デバイス２００は、拡張ゲームコントローラと連結した状態で使用され、個人用ユーザ操作デバイス２００はゲーム用ハンドセットとして作動するようにカスタマイズされる。それにより、個人ユーザ用操作デバイス２００が、ゲームの連続実行を容易にする。言い換えれば、個人ユーザ用操作デバイス２００は、ゲームを中止したところから該ゲームを楽しむことができるように、ワイヤレスインターフェイスシステムおよび／または物理的なインターフェースシステムを使用することができる。ゲームの連続実行は、従来からあるタグシステム（ｔａｇ  ｓｙｓｔｅｍ）を介することにより可能になる。所望される場合、個人ユーザ用操作デバイス２００は、所定のゲームにワイヤレス通信をリンクする。所定のゲームの例としては、インターネット３１０Ｃ（図２Ｂ参照）を介して利用可能なシンプルなゲームおよび／またはローバンドのゲームがある。
【０１１４】
個人ユーザ用操作デバイス２００は、有利に、乗物のセーフティシステムとして使用される。自動車３９０Ａにおいて使用される場合、例えば、個人ユーザ用操作デバイス２００は、乗物のカメラシステム（図示せず）によって提供されるリアルタイムビューを表示することによってミラーシステムに取って代わることができる（および／またはミラーシステムを補完することができる）。個人ユーザ用操作デバイス２００は、自動車３９０Ａに搭載されている、乗物の後方視用カメラシステムとやりとりする有線式および／またはワイヤレス式のカメラインターフェースシステムを提供することができる。それにより、個人ユーザ用操作デバイス２００は、自動車３９０Ａからのリアビューを表示でき、乗物のミラーシステムによる後方視のみの場合に比べて、頼りになる。
それにより、個人ユーザ用操作デバイス２００が、乗物のカメラシステムの機能性を向上させる。所望される場合、乗物のカメラシステムは、従来からある乗物のミラーシステムの位置に設置される。また、これらの位置に、標準的なインダッシュ機構を移動させることができる。上述したように取り外し可能なインダッシュフェイスプレートシステムとして扱えるようにカスタマイズされる場合、個人ユーザ用操作デバイス２００は、乗物のカメラシステムの機能性を向上させている間、従来からあるフェイスプレートの機能性を提供することができる。
【０１１５】
所望される場合、個人ユーザ用操作デバイス２００は、従来からある任意の乗物システムを操作できるようにカスタマイズされる。例えば、個人ユーザ用操作デバイス２００は、従来からあるスマートキーシステムとして作動するようにカスタマイズされる。それにより、個人用ユーザ操作デバイス２００は、乗物３９０への搭乗認証を行う。有利に、個人ユーザ用操作デバイス２００は、１つまたはそれ以上の乗物３９０用のプログラム可能な個人用設定を備えている。個人ユーザ用操作デバイス２００は、関連する乗物３９０を自動的に検知する。個人ユーザ用操作デバイス２００はまた、電動式乗客シート３８２（図４Ａ，４Ｂ参照）の操作の制御部を提供する。それにより、従来からある乗客シート３８２の操作用制御部を乗物３９０から取り除くことができる。乗客シート３８２は、好適には、乗物３９０のエンジンシステムが停止しているとき（またはＯＮ時）をなど適当なときに、個人ユーザ用操作デバイス２００を介して操作できるようにされている。
【０１１６】
個人ユーザ用操作デバイス２００はまた、複数のユーザインターフェースシステム２９０を簡単に切り替えできるように構成されている。例えば、個人ユーザ用操作デバイス２００は、大人用の対話式の外観を備えた第１のユーザインターフェースシステム２９０を表示する。予め決定された認証コードが入力されると、個人ユーザ用操作デバイス２００は、子供向けの対話式の外観を備えた第２のユーザインターフェース２９０を表示する。旅客用の乗物３９０（図２Ａ，２Ｂ参照）に導入される場合、ユーザインターフェースシステム２９０の機能は、選択された予め決められた基準に基づいたものである。ユーザインターフェースシステム２９０は、例えば、目的地の都市にあわせて作成される。予め決められた基準が乗客のクラス（ファーストクラス、プレミアムクラス、ビジネスクラス、エコノミークラス、および／または普通クラス）である場合、個人ユーザ用操作デバイス２００は、関連する乗客クラスがアクセス可能な鑑賞コンテンツの使用に適するユーザインターフェースシステム２９０を表示する。インターフェースシステム２９０の選択は、例えば、乗客名簿および／または多くの乗客用プログラムに基づいて、自動的に行われる。所望される場合、個人ユーザ用操作デバイス２００は、デバイスの機能性の強化を承認するために、従来からあるカードリーダを備える。カードリーダは、クレジットカード、多くの乗客カードなどを読取りできるように構成してもよい。
【０１１７】
図９Ａ−９Ｃを参照すれば、乗物用情報システム３００のビデオ出力システム３６２、オーディオ出力システム３６４、および／または入力システム３６６が、統合型オーディオ／ビデオ出力システム６００として提供されている。ビデオ出力システム３６２は、統合型オーディオ／ビデオ出力システム６００に配置される観賞用スクリーン６１０を備え、また１つまたはそれ以上の通信ポート（すなわち、コネクタまたはジャック）が入力システム３６６の一部として統合型オーディオ／ビデオ出力システム６００に設けられている。それにより、乗物用情報システム３００と個人ユーザ用操作デバイス２００（図６Ａ−６Ｄ参照）とが通信ポート６２０を介して通信状態であるとき、乗物用情報システム３００から選択提供された鑑賞コンテンツ２１０（図２Ａ，２Ｂ参照）が、統合型オーディオ／ビデオ出力システム６００の鑑賞用スクリーン６１０および／またはオーディオジャック６２０を介して出力される。所望される場合、統合型オーディオ／ビデオ出力システム６００はまた、周辺機器である、ビデオ出力システムおよび／またはオーディオ出力システムと通信するための１またはそれ以上の他の種類のポート（すなわち、コネクタまたはジャック）（図示せず）を備える。
【０１１８】
統合型オーディオ／ビデオ出力システム６００は、上述した関連する非仮特許出願である、２００８年９月１２日出願の「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ」（代理人事項番号７００５４６．４０３７）と、２００８年９月１２日出願の「ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ」（代理人事項番号７００５４６．４０３８）とにおいて詳細に記載したように提供される。例えば、統合型オーディオ／ビデオ出力システム６００は、改良された鑑賞コンテンツ出力機能を備えている。例えば、統合型オーディオ／ビデオ出力システム６００のオーディオ出力システム３６４は、鑑賞コンテンツ２１０の音質をさらに良くする、従来からあるノイズキャンセレーションシステム（図示せず）を備えている。
【０１１９】
統合型オーディオ／ビデオ出力システム６００に接続される場合、個人ユーザ用操作デバイス２００は、乗物用情報システム３００を介して利用できる鑑賞コンテンツ２１０を選択でき、および／または、統合型オーディオ／ビデオ出力システム６００によって提供される、選択した鑑賞コンテンツ２１０の出力方法を操作することができる。言い換えれば、個人ユーザ用操作デバイス２００は、統合型オーディオ／ビデオ出力システム６００の入力システム３６６と関連する。図９Ａは、適当な配置で設けられている１つまたはそれ以上のユーザ操作ボタンを備える統合型オーディオ／ビデオ出力システム６００の入力システム３６６を示している。例えば、入力システム３６６は、鑑賞コンテンツ２１０（図２Ａ，２Ｂ参照）をプレイバック操作するためのビデオ操作システム６３０を備えている。
【０１２０】
入力システム３６６のオーディオ操作システム６４０の一例として、鑑賞コンテンツ２１０の音量を大きくする第１のボタン６４０Ａおよび／または音量を小さくする第２のボタン６４０Ｂを備える音量コントロールシステムが示されている。所望される場合、統合型オーディオ／ビデオ出力システム６００の入力システム３６６は、少なくとも１つの他のユーザ操作ボタンを備えている。図６Ａに示す統合型オーディオ／ビデオ出力システム６００は、ｏｎ／ｏｆｆボタンのような電源コントロールシステム６５０を備えている。旅客用の乗物に導入される場合、統合型オーディオ／ビデオ出力システム６００は、１つまたはそれ以上の乗客向けの機内サービスを操作する機内サービス操作システム６５５を備えている。図６に示す機内サービス操作システム６５５は、客室乗務員呼び出しボタン６５５Ａ、客室乗務員呼び出しキャンセルボタン６５５Ｂ、および／またはシート照明システム操作ボタン６５５Ｃを備えている。
【０１２１】
図９Ｂに示すように、統合型オーディオ／ビデオ出力システム６００の入力システム３６６は、少なくとも１つの取り外し式の通信コネクタシステム８００を備えている。取り外し式（ｂｒｅａｋ−ａｗａｙ）の通信コネクタシステム８００は、取り外し可能に、個人ユーザ用操作デバイス２００と統合型オーディオ／ビデオ出力システム６００とを接続する。取り外し式の通信コネクタシステム８００は、有利に、故障した通信ジャックの交換を容易にし、緊急事態の発生時に乗客の安全を確保するために統合型オーディオ／ビデオ出力システム６００から簡単に分離できる。好適な実施形態において、取り外し式の通信コネクタシステム８００は、個人ユーザ用操作デバイス２００に作動電力を供給する。
【０１２２】
図９Ｂに示すように、適当な長さの通信ケーブル６２８は、終端に周辺機器側通信コネクタ（すなわちポート）６２６を備えている。周辺機器側通信コネクタ６２６は、統合型オーディオ／ビデオ出力システム６００のシステム側通信コネクタ（すなわちポート）６２２と係合する（すなわち取り外し可能に接続する）。通信コネクタ６２２，６２６は、非固定で接続され、必要であれば、簡単に分離可能な、取り外し式の通信コネクタシステム８００を形成している。それにより、個人ユーザ用操作デバイス２００と統合型オーディオ／ビデオ出力システム６００は、取り外し式の通信コネクタシステム８００を介して通信する。
【０１２３】
説明のために個人ユーザ用操作デバイス２００と統合型オーディオ／ビデオ出力システム６００とが接続するものとして図示するとともに記載したが、取り外し式の通信コネクタシステム８００は、周辺機器のビデオ出力システムおよび／または周辺機器のオーディオ出力システムを含む、従来からある周辺機器の出力システムと情報システム１００とを接続するためにも使用できる。また、適当な取り付け面に配置することができる。言い換えれば、情報システム１００が乗物３９０（図２Ａ−２Ｂ参照）に導入されている場合、取り外し式の通信コネクタシステム８００は、座席裏３８６（図４Ａ，４Ｂ参照）、アームレスト３８８（図２Ａ，２Ｂ参照）、内壁３９６（図４Ａ，４Ｂ参照）、天井、および／または隔壁などの好適な客室の表面に設けられる。
【０１２４】
取り外し式の通信コネクタシステム８００は、好適には、図９Ｃに示す通信コネクタ６２２，６２６を磁力によって連結するためのマグネットシステム８１０を用いる。図９Ｃを参照すれば、統合型オーディオ／ビデオ出力システム６００のシステム側通信コネクタ６２２は、複数のシステム側接点８２０とシステム側マグネットシステム８１４とを備えている。システム側接点８２０とシステム側マグネットシステム８１４は、好適には、統合型オーディオ／ビデオ出力システム６００のハウジングアセンブリ６０５内に配置されている。例えば、システム側接点８２０とシステム側マグネットシステム８１４は、ハウジングアセンブリ６０５内の奥まった位置にあるシステム側のベゼル８４０内に設けられている。
【０１２５】
周辺機器側通信コネクタ６２６も同様に、複数の周辺機器側接点８３０と周辺機器側マグネットシステム８１２とを備えている。通信コネクタ６２２，６２６が連結したときに、周辺機器側接点８３０はシステム側接点８２０と係合するように構成されているとともに、システム側マグネットシステム８１４と周辺機器側マグネットシステム８１２とが係合するように構成されている。図９Ｃに示すように、周辺機器側接点８３０と周辺機器側マグネットシステム８１２は、周辺機器側コネクタハウジング６２６Ａ内に位置する。周辺機器側コネクタハウジング６２６Ａは、好適には、統合型オーディオ／ビデオ出力システム６００のハウジングアセンブリ６０５の少なくとも１つのシステム側係合面８５０と係合するように構成されている少なくとも１つの周辺機器側係合面６２６Ｂを備えている。それにより、周辺機器側通信コネクタ６２６が統合型オーディオ／ビデオ出力システム６００に接続されているときに、周辺機器側係合面６２６Ｂがシステム側係合面８５０に係合し、システム側接点８２０と周辺機器側接点８３０とが適当に位置合わせされ、および／または周辺機器側マグネットシステム８１２とシステム側マグネットシステム８１４とが適当に位置合わせされる。
【０１２６】
システム側係合面８５０は、例えば、周辺機器側の係合面６２６Ｂ、および／または図９Ｃに示すように周辺機器側係合面６２６Ｂによって形成された開口６２６Ｃ内に収容される伸長部８５２を収容する凹部（図示せず）を形成している。所望される場合、係合面６２６Ｂ，８５０は、１つまたはそれ以上の一対の係合戻り止め（ｃｏｏｐｅｒａｔｉｎｇ  ｄｅｔｅｎｔｓ）を介して、周辺機器側コネクタハウジング６２６とハウジングアセンブリ６０５とを連結する。この「係合戻り止め」は、ブロック、タブ、ポケット、スロット、斜面、ロックピン、片持ち梁状部材、支持ピン、および周辺機器側コネクタハウジング６２６とハウジングアセンブリ６０５とを選択的または自動的に係合させるおよび／または連結または連結解除できるように構成された類似のものなどの、係合要素の組み合わせを言う。当然ながら、図示されたまた後述された係合戻り止めは単なる一例であって包括的なものではない。したがって、取り外し式の通信コネクタシステム８００は、周辺機器側通信コネクタ６２６の周辺機器側接点８３０とシステム側通信コネクタ６２２のシステム側接点８２０との間の電気的接続を有利にサポートし、緊急事態の発生時に乗客の安全を確保するために、周辺機器側通信コネクタ６２６がシステム側通信コネクタ６２２から簡単に離れることを可能にしている。
【０１２７】
好適な実施形態において、システム側接点８２０はシステム側のプリント回路基板（ＰＣＢ）アセンブリ８２５上に設けられ、および／または周辺機器側接点８３０は周辺機器側のプリント回路基板（ＰＣＢ）アセンブリ８３５上に設けられている。それにより、取り外し式の通信コネクタシステム８００は、有利に、通信コネクタ６２２と６２６との接触を平面と平面との接触で行う。ＰＣＢアセンブリ８２５と周辺機器側のＰＣＢアセンブリ８３５は、従来からある任意の形式で提供され、好適には平面状フレキシブルプリント回路基板（ＰＣＢ）アセンブリとして提供される。平面状フレキシブルＰＣＢアセンブリとして提供される場合、周辺機器側ＰＣＢアセンブリ８３５は、通信ケーブル６２８（図９Ｂ参照）内のオーディオ用の導電体と周辺機器であるオーディオ出力システム６２４の周辺機器側通信コネクタ６２６とを接続するために使用される。所望される場合は、個別配線（図示せず）が使用される。ビデオインターフェースシステム３６２（図４Ａ，４Ｂ参照）がタッチスクリーンディスプレイシステムとして提供される場合、例えば、タッチスクリーンディスプレイシステムは、システム側通信コネクタ６２２と関連する配線を収容する物理的な内部空間を定義する必要がある。システム側通信コネクタ６２２を備える平面フレキシブルＰＣＢアセンブリを使用することにより、物理的な内部空間を有利に最小化することが可能になる。
【０１２８】
システム側通信コネクタ６２２のシステム側接点８２０は、従来からある任意の形式ですなわち接点構成でシステム側ＰＣＢアセンブリ８２５上に配置されている。同様に、周辺機器側通信コネクタ６２６の周辺機器側接点８３０も従来からある任意の形式ですなわち接点構成で周辺機器側ＰＣＢアセンブリ８３５上に配置されている。周辺機器側接点８３０は、システム側通信コネクタ６２２と周辺機器側通信コネクタ６２６とが接続されているとき、システム側接点８２０と係合（すなわち接続）するように構成されている。言い換えれば、システム側通信コネクタ６２２のシステム側接点８２０と関連する周辺機器側通信コネクタ６２６の周辺機器側接点８３０とが、好適には、同一の接点構成で設けられている。
【０１２９】
システム側接点８２０と周辺機器側接点８３０の接点構成の例が、図１０Ａ−１０Ｇに図示されている。説明のためにシステム側通信コネクタ６２２のシステム側接点８２０が図示されまた記載されているが、この接点構成の例は、周辺機器側通信コネクタ６２６の周辺機器側接点８３０にも等しく適用可能である。本明細書において図示されまた記載された接点構成の例は、包括的なものではなく、説明のために本明細書に挙げたものであって、限定するものではない。
【０１３０】
図１０Ａを参照すれば、システム側通信コネクタ６２２のシステム側接点８２０は、同心（すなわち的（まと）状）の接点構成で設けられている。図１０Ａの接点構成は、１つまたはそれ以上の環状のシステム側接点８２２，８２４内の中央にシステム側接点８２６を備えている。環状システム側接点８２２，８２４は、図に示すシステム側接点８２４のようにシステム側接接点幅が同一の状態で設けられる、および／または図に示すシステム側接触部８２２と８２４とのように、システム側接点幅が異なる状態で設けられる。言い換えると、システム側接点８２０の接点構成は、任意の適当な断面形状を備えた状態で設けられている。図１０Ａに示すように、選択された環状のシステム側接点８２４は完全な環状の単一（または連続した）接点として形成され、および／または選択された環状のシステム側接点８２２は半環状（ｓｅｍｉ−ｃｉｒｃｌｅ）の２つまたはそれ以上の接点８２２Ａ，８２２Ｂとして構成されている。隣接し合うシステム側接点８２２，８２４，８２６の間隔は、図１０Ａに示すように同一にされる、および／または図１０Ｂに示すように異なるようにされる。システム側接点８２２，８２４，８２６それぞれが確実に接点として役立つように図１０に示すように同心の接点構成とされているため、それにより、システム側通信コネクタ６２２は、システム側接点８２２，８２４，８２６の連続的な接点表面を有利に活用することができる。
【０１３１】
図１０Ａに示す同心の接点構成のシステム側接点８２２，８２４，８２６は、ノイズキャンセルヘッドフォンなどの周辺機器である電動のオーディオ出力デバイスを含む、周辺機器であるオーディオ出力デバイス６２４（図７Ａ参照）をサポートできる十分なシステム側接点８２０を提供する。それにより、システム側通信コネクタ６２２（図７Ａ，７Ｂ参照）は、電動の周辺機器であるオーディオ出力デバイスの信号伝達要件や作動電力要件を十分にサポートできる十分なシステム側接点８２０を提供でき、デバイス側通信コネクタ６２６（図７Ａ，７Ｂ参照）がシステム側通信コネクタ６２２に対して任意の方向に少なくとも一回転する可能性を残している。システム側接点８２２，８２４，８２６の同心の接点構成は、全てのコネクタ形状に対して一貫した効果を発揮する。
【０１３２】
システム側接点８２０は、代わりとしてまたは付加的に、図１０Ｃに示す同心（すなわち的状）の接点構成であってもよい。図１０Ｃを参照すれば、接点構成は、図１０Ａの接点構成に関連して詳細に記載したような１つまたはそれ以上の半環状のシステム側接点８２２，８２４内の中央に配置されるシステム側接点８２６を備えている。上述したように、半環状のシステム側接点８２２，８２４は、図に示すシステム側接点８２４のように同一のシステム側接点幅を備える、および／または図に示すシステム側接点８２２，８２４のように異なるシステム側接点幅を備える。隣接し合うシステム側接点８２２，８２４，８２６の間隔は、図１０Ｃに示すように同一にされる、または図１０Ｄに示すように異なるようにされる。
【０１３３】
システム側接点８２２，８２４，８２６は、任意の適当な配置および／または形状で設けられてもよい。例えば、図１０Ｅは、１つまたはそれ以上の環状の接点８２２内の中央に配置された複数の直線状のシステム側接点８２４を含む、システム側接点８２０の接点構成を示している。環状のシステム側接点８２２は、図１０Ａに関連して詳細に上述したように設けられている。中央の直線状のシステム側接点８２４は、平行配置されたシステム側接点８２４として設けられている。
【０１３４】
図１０Ｆを参照すれば、１つまたはそれ以上の環状のシステム側接点８２２内の中央に配置されたシステム側接触点８２６を含む接点構成が示されている。図示する複数の内側のシステム側接点８２４は、中心のシステム側接触点８２６の周囲であって且つ環状システム側接点８２２内の位置に配置されている。内側のシステム側接点８２４は、図１０Ｆに示すように中心のシステム側接点８２６を中心として等間隔をあけて配置される、および／または中心のシステム側接点８２６を中心として不規則に配置される。中心のシステム側接点８２６と内側のシステム側接点８２４は、所望の幾何学的形状および／または大きさにされる。図１０Ｆに示すように、例えば、中心のシステム側接点８２６と内側のシステム側接点８２４それぞれは、円状のシステム側接点として設けられている。図１０Ｇに示す内側のシステム側接点８２４は、パイ（ｐｉｅ）形状の接点として設けられている。
【０１３５】
記載した実施形態は様々な改良形態や変形形態にすることが可能であり、それの具体例は、図面内の例や本明細書内にて詳細に説明された例によって示されている。しかしながら、記載した実施形態は開示された特定の形態や方法に限定するものではなく、本開示内容は、改良物、同等物、および代用物の全てを含んでいる。
【図１】
0005421266.tif 000002
【図２Ａ】
0005421266.tif 000003
【図２Ｂ】
0005421266.tif 000004
【図３】
0005421266.tif 000005
【図４Ａ】
0005421266.tif 000006
【図４Ｂ】
0005421266.tif 000007
【図５Ａ】
0005421266.tif 000008
【図５Ｂ】
0005421266.tif 000009
【図６Ａ】
0005421266.tif 000010
【図６Ｂ】
0005421266.tif 000011
【図６Ｃ】
0005421266.tif 000012
【図６Ｄ】
0005421266.tif 000013
【図７Ａ】
0005421266.tif 000014
【図７Ｂ】
0005421266.tif 000015
【図７Ｃ】
0005421266.tif 000016
【図７Ｄ】
0005421266.tif 000017
【図７Ｅ】
0005421266.tif 000018
【図７Ｆ】
0005421266.tif 000019
【図８Ａ】
0005421266.tif 000020
【図８Ｂ】
0005421266.tif 000021
【図８Ｃ】
0005421266.tif 000022
【図８Ｄ】
0005421266.tif 000023
【図８Ｅ】
0005421266.tif 000024
【図９Ａ】
0005421266.tif 000025
【図９Ｂ】
0005421266.tif 000026
【図９Ｃ】
0005421266.tif 000027
【図１０Ａ】
0005421266.tif 000028
【図１０Ｂ】
0005421266.tif 000029
【図１０Ｃ】
0005421266.tif 000030
【図１０Ｄ】
0005421266.tif 000031
【図１０Ｅ】
0005421266.tif 000032
【図１０Ｆ】
0005421266.tif 000033
【図１０Ｇ】
0005421266.tif 000034